(57)【要約】【課題】模擬移動に好適な模擬移動処理方法および模擬移動処理システムを提供する。【解決手段】模擬移動処理システムＳＶの情報受取部００２２が受理側装置ＣＬから送付された要求信号ＣＬａを受けると、認証・課金部００２３で処理する一方、模擬移動処理部００２２が送付された移動開始位置と行先に基づきデータベース部ＤＢから地図データを取込み、送付された経路および指定された移動速度に基づき直近位置を設定すると、情報編成・送出部００２３がデータベース部ＤＢを検索して直近位置に対応するコンテンツ情報（画像データ）Ｃｔｓを取りだして送出信号ＳＶａに載せ、通信機構ＮＴ経由で受理側装置ＣＬへ授与し、模擬移動の画面・音声呈示をさせる。【選択図】　　　　図１
2004078549.tif 000002
【特許請求の範囲】
【請求項１】
受理側装置から通信機構経由で送付される、
移動開始位置を示す開始位置データと、
行先指定を示す行先データと、
移動の経路指定を示す経路データと、
移動速度指定を示す移動速度データと、
を到着の度に与件の受取データとして受取ると、夫々を直近位置データ、直近行先データ、直近経路データ、直近移動速度データとする受入過程と、
前記直近経路データが示す直近経路上を、前記直近位置データが示す直近位置から前記直近移動速度データが示す前記直近移動速度で所定の時間だけ模擬移動した際の位置を演算して前記直近位置データを更新する位置演算過程と、
保有する情報中から前記直近位置データに対応する前記情報を選択し、前記受理側装置へ送出する送出データに加工する情報選択加工過程と、
少なくとも前記送出データを通信機構経由で前記受理側装置へ送出する送出過程と、
を備えることを特徴とする模擬移動処理方法。
【請求項２】
受理側装置から通信機構経由で送付される、
移動開始位置を示す開始位置データと、
行先指定を示す行先データと、
移動速度指定を示す移動速度データと、
を到着の度に与件の受取データとして受取ると、夫々を直近位置データ、直近行先データ、直近移動速度データとする受入過程と、
前記直近位置データが示す直近位置から発する経路のうちで前記直近行先データが示す直近行先に至る経路を直近適合経路として設定する適合経路設定過程と、
前記直近適合経路上を、前記直近位置データが示す直近位置から前記直近移動速度データが示す前記直近移動速度で所定の時間だけ模擬移動した際の位置を演算して前記直近位置データを更新する位置演算過程と、
保有する情報中から前記直近位置データに対応する前記情報を選択し、前記受理側装置へ送出する送出データに加工する情報選択加工過程と、
少なくとも前記送出データを通信機構経由で前記受理側装置へ送出する送出過程と、
を備えることを特徴とする模擬移動処理方法。
【請求項３】
前記受入過程は、前記受理側装置からさらに、視界方向の指定を示す視界方向データを到着の度に与件の受取データとして受取ると直近視界方向データとし、
前記情報選択加工過程は、保有する情報中から前記直近位置データおよび前記直近視界方向データに対応する前記情報を選択し、前記受理側装置へ送出する送出データに加工する、
構成としたことを特徴とする請求項１または２記載の模擬移動処理方法。
【請求項４】
前記受入過程は、前記受理側装置からさらに、前記視界方向の水平または垂直方向からの回動の程度を示す傾斜視界データを到着の度に与件の受取データとして受取ると直近傾斜視界データとし、
前記情報選択加工過程は、
保有する情報中から前記直近位置データおよび前記直近視界方向データおよび前記直近傾斜視界データに対応する前記情報を選択し、前記受理側装置へ送出する送出データに加工するか、
または、保有する情報中から前記直近位置データおよび前記直近視界方向データに対応する前記情報を選択のうえ、前記直近傾斜視界データに基づき前記受理側装置へ送出する送出データに加工する、
構成としたことを特徴とする請求項３記載の模擬移動処理方法。
【請求項５】
前記受取データの受取回数または受取量に基づくか、または前記送出データの送出回数または送出量に基づいて、前記受理側装置への課金額の演算処理を実行する課金過程を備えたことを特徴とする請求項１乃至４の何れかに記載の模擬移動処理方法。
【請求項６】
位置に対応する情報を記録して保有する記録手段と、
受理側装置から通信機構経由で送付される、
移動開始位置を示す開始位置データと、
行先指定を示す行先データと、
移動の経路指定を示す経路データと、
移動速度指定を示す移動速度データと、
を到着の度に与件の受取データとして受取ると、夫々を直近位置データ、直近行先データ、直近経路データ、直近移動速度データとする受入手段と、
前記直近経路データが示す直近経路上を、前記直近位置データが示す直近位置から前記直近移動速度データが示す前記直近移動速度で所定の時間だけ模擬移動した際の位置を演算して前記直近位置データを更新する位置演算手段と、
前記記録手段が保有する情報中から前記直近位置データに対応する前記情報を選択し、前記受理側装置へ送出する送出データに加工する情報選択加工手段と、
少なくとも前記送出データを通信機構経由で前記受理側装置へ送出する送出手段と、
を具備することを特徴とする模擬移動処理システム。
【請求項７】
位置に対応する情報を記録して保有する記録手段と、
受理側装置から通信機構経由で送付される、
移動開始位置を示す開始位置データと、
行先指定を示す行先データと、
移動速度指定を示す移動速度データと、
を到着の度に与件の受取データとして受取ると、夫々を直近位置データ、直近行先データ、直近移動速度データとする受入手段と、
前記直近位置データが示す直近位置から発する経路のうちで前記直近行先データが示す直近行先に至る経路を直近適合経路として設定する適合経路設定手段と、
前記直近適合経路上を、前記直近位置データが示す直近位置から前記直近移動速度データが示す前記直近移動速度で所定の時間だけ模擬移動した際の位置を演算して前記直近位置データを更新する位置演算手段と、
前記記録手段が保有する情報中から前記直近位置データに対応する前記情報を選択し、前記受理側装置へ送出する送出データに加工する情報選択加工手段と、
少なくとも前記送出データを通信機構経由で前記受理側装置へ送出する送出手段と、
を具備することを特徴とする模擬移動処理システム。
【請求項８】
前記記録手段は、位置および視界方向に対応する情報を記録して保有し、
前記受入手段は、前記受理側装置からさらに、視界方向の指定を示す視界方向データを到着の度に与件の受取データとして受取ると直近視界方向データとし、
前記情報選択加工手段は、前記記録手段が保有する情報中から前記直近位置データおよび前記直近視界方向データに対応する前記情報を選択し、前記受理側装置へ送出する送出データに加工する、
構成としたことを特徴とする請求項６または７記載の模擬移動処理システム。
【請求項９】
前記記録手段は、
位置および視界方向に同時に対応する前記情報を記録して保有するか、
または位置および視界方向および前記視界方向の水平または垂直方向からの回動の程度を示す傾斜視界に対応する前記情報を記録して保有し、
前記受入手段は、前記受理側装置からさらに、前記傾斜視界を示す傾斜視界データを到着の度に与件の受取データとして受取ると直近傾斜視界データとし、
前記情報選択加工手段は、
保有する情報中から前記直近位置データおよび前記直近視界方向データおよび前記直近傾斜視界データに対応する前記情報を選択し、前記受理側装置へ送出する送出データに加工するか、
または、保有する情報中から前記直近位置データおよび前記直近視界方向データに対応する前記情報を選択のうえ、前記直近傾斜視界データに基づき前記受理側装置へ送出する送出データに加工する、
構成としたことを特徴とする請求項８記載の模擬移動処理システム。
【請求項１０】
前記受取った受取データの受取回数または受取量に基づくか、または前記送出した送出データの送出回数または送出量に基づいて、前記受理側装置への課金額の演算処理を実行する課金手段を備えたことを特徴とする請求項６乃至９の何れかに記載の模擬移動処理システム。
【発明の詳細な説明】
【０００１】
【発明の属する技術分野】
本発明は、模擬移動処理方法および模擬移動処理システムに関する。とりわけ空間移動シミュレーションや模擬旅行に応用可能な模擬移動処理方法および模擬移動処理システムに関する。
【０００２】
【従来の技術】
ブロードバンド通信環境の普及にともなう、映像を主体としたコンテンツ情報の授受環境の整備により、端末から中央のデータベースをアクセスして比較的大容量の動画コンテンツ情報の取込み入手を容易にする技術環境が整備されるに伴い、コンテンツ情報の授与に関連する種々のビジネスモデルの展開が可能になった。その一例として模擬的または仮想的な位置移動や地点移動をする空間移動シミュレーション技術を応用した仮想旅行を提供するサービスがある。
従来、このような技術は予め定めた旅行ルートに沿って前以て実際に移動しつつ撮影した旅行映像を保存しておき、要求に応じてその旅行映像を再生して提供するという構成であった。
または撮影方向の風景を模した簡単な模式立体画像を２次元地図に基づき作成してＣＧ画像やアニメーション等で画面呈示する構成であった。
【０００３】
【発明が解決しようとする課題】
ところが前記の旅行映像の提供は、旅行ルートが予め定めたものに限定されているから、利用者が所望する任意の移動ルートに対応することが事実上困難であった。また前記の旅行映像は例えば進行方向や進行方向に向かい右の視界方向など、撮像時のカメラの撮影方向に限定されているから、たとえ移動ルートが予め定めた旅行ルートと同一でも、利用者が自在に指定する任意の異なる視界方向の映像を提供できるものではなかった。
一方、上記のような従来技術の呈示する模式立体画像は実際の風景とに差があり臨場感に欠け、よって利用者の要求に必ずしも応えられないという課題があった。
【０００４】
本発明は前記のような従来技術の課題の解決を目的とするものであり、現実に即した映像や、種々の移動経路に沿った種々の視界方向の映像の提供が可能であり、さらにネットワーク経由でコンテンツ情報の授与が可能な模擬移動処理方法および模擬移動処理システムを提供することを目的とする。
【０００５】
【課題を解決するための手段】
以下、本発明の手段を説明する。
前記課題を解決するため本発明の請求項１に係る模擬移動処理方法は、受理側装置から通信機構経由で送付される、
移動開始位置を示す開始位置データと、
行先指定を示す行先データと、
移動の経路指定を示す経路データと、
移動速度指定を示す移動速度データと、
を到着の度に与件の受取データとして受取ると、夫々を直近位置データ、直近行先データ、直近経路データ、直近移動速度データとする受入過程と、
前記直近経路データが示す直近経路上を、前記直近位置データが示す直近位置から前記直近移動速度データが示す前記直近移動速度で所定の時間だけ模擬移動した際の位置を演算して前記直近位置データを更新する位置演算過程と、
保有する情報中から前記直近位置データに対応する前記情報を選択し、前記受理側装置へ送出する送出データに加工する情報選択加工過程と、
少なくとも前記送出データを通信機構経由で前記受理側装置へ送出する送出過程と、
を備えることを特徴とする。
【０００６】
本発明の請求項６に係る模擬移動処理システムは、位置に対応する情報を記録して保有する記録手段と、
受理側装置から通信機構経由で送付される、
移動開始位置を示す開始位置データと、
行先指定を示す行先データと、
移動の経路指定を示す経路データと、
移動速度指定を示す移動速度データと、
を到着の度に与件の受取データとして受取ると、夫々を直近位置データ、直近行先データ、直近経路データ、直近移動速度データとする受入手段と、
前記直近経路データが示す直近経路上を、前記直近位置データが示す直近位置から前記直近移動速度データが示す前記直近移動速度で所定の時間だけ模擬移動した際の位置を演算して前記直近位置データを更新する位置演算手段と、
前記記録手段が保有する情報中から前記直近位置データに対応する前記情報を選択し、前記受理側装置へ送出する送出データに加工する情報選択加工手段と、
少なくとも前記送出データを通信機構経由で前記受理側装置へ送出する送出手段と、
を具備することを特徴とする。
【０００７】
請求項１の模擬移動処理方法および請求項６の模擬移動処理システムによれば、受理側装置から受取った開始位置データと、行先データと、経路データに基づく模擬移動に係る送出データが送出される。よって既定の移動ルートへの対応のみならず、利用者が指定する任意の移動ルートへの対応がなされる。
また受理側装置から受取った移動速度データに基づく模擬移動に係る送出データが送出される。よってスローモーションやファーストモーションなど利用者が指定する任意の模擬移動の速さへの対応がなされる。
また更新された上記各データが受取られると更新された模擬移動に係る送出データが送出される。よって利用者が指定を更新した際にも当該更新への対応が為される。
【０００８】
本発明の請求項２に係る模擬移動処理方法は、受理側装置から通信機構経由で送付される、
移動開始位置を示す開始位置データと、
行先指定を示す行先データと、
移動速度指定を示す移動速度データと、
を到着の度に与件の受取データとして受取ると、夫々を直近位置データ、直近行先データ、直近移動速度データとする受入過程と、
前記直近位置データが示す直近位置から発する経路のうちで前記直近行先データが示す直近行先に至る経路を直近適合経路として設定する適合経路設定過程と、
前記直近適合経路上を、前記直近位置データが示す直近位置から前記直近移動速度データが示す前記直近移動速度で所定の時間だけ模擬移動した際の位置を演算して前記直近位置データを更新する位置演算過程と、
保有する情報中から前記直近位置データに対応する前記情報を選択し、前記受理側装置へ送出する送出データに加工する情報選択加工過程と、
少なくとも前記送出データを通信機構経由で前記受理側装置へ送出する送出過程と、
を備えることを特徴とする。
【０００９】
本発明の請求項７に係る模擬移動処理システムは、位置に対応する情報を記録して保有する記録手段と、
受理側装置から通信機構経由で送付される、
移動開始位置を示す開始位置データと、
行先指定を示す行先データと、
移動速度指定を示す移動速度データと、
を到着の度に与件の受取データとして受取ると、夫々を直近位置データ、直近行先データ、直近移動速度データとする受入手段と、
前記直近位置データが示す直近位置から発する経路のうちで前記直近行先データが示す直近行先に至る経路を直近適合経路として設定する適合経路設定手段と、
前記直近適合経路上を、前記直近位置データが示す直近位置から前記直近移動速度データが示す前記直近移動速度で所定の時間だけ模擬移動した際の位置を演算して前記直近位置データを更新する位置演算手段と、
前記記録手段が保有する情報中から前記直近位置データに対応する前記情報を選択し、前記受理側装置へ送出する送出データに加工する情報選択加工手段と、
少なくとも前記送出データを通信機構経由で前記受理側装置へ送出する送出手段と、
を具備することを特徴とする。
【００１０】
請求項２の模擬移動処理方法および請求項７の模擬移動処理システムによれば、受理側装置から受取った開始位置データと行先データに基づき適合経路が設定され、この適合経路に沿った模擬移動に係る送出データが送出される。よって利用者に移動経路の指定をさせる必要がなく、且つ適合する移動ルートへの対応がなされる。
【００１１】
本発明の請求項３に係る模擬移動処理方法は請求項１または２記載のもので、前記受入過程は、前記受理側装置からさらに、視界方向の指定を示す視界方向データを到着の度に与件の受取データとして受取り直近視界方向データとし、
前記情報選択加工過程は、保有する情報中から前記直近位置データおよび前記直近視界方向データに対応する前記情報を選択し、前記受理側装置へ送出する送出データに加工する、
構成としたことを特徴とする。
【００１２】
本発明の請求項８に係る模擬移動処理システムは請求項６または７記載のもので、前記記録手段は、位置および視界方向に対応する情報を記録して保有し、
前記受入手段は、前記受理側装置からさらに、視界方向の指定を示す視界方向データを到着の度に与件の受取データとして受取り直近視界方向データとし、
前記情報選択加工手段は、前記記録手段が保有する情報中から前記直近位置データおよび前記直近視界方向データに対応する前記情報を選択し、前記受理側装置へ送出する送出データに加工する、
構成としたことを特徴とする。
【００１３】
請求項３の模擬移動処理方法および請求項８の模擬移動処理システムによれば、直近位置データおよび直近視界方向データに基づき情報が選択され、選択された情報が送出データに載せて送出される。よって利用者が指定する任意の視界方向に対応する情報の送出が為される。
【００１４】
本発明の請求項４に係る模擬移動処理方法は請求項３記載のもので、前記受入過程は、前記受理側装置からさらに、前記視界方向の水平または垂直方向からの回動の程度を示す傾斜視界データを到着の度に与件の受取データとして受取り直近傾斜視界データとし、
前記情報選択加工過程は、
保有する情報中から前記直近位置データおよび前記直近視界方向データおよび前記直近傾斜視界データに対応する前記情報を選択し、前記受理側装置へ送出する送出データに加工するか、
または、保有する情報中から前記直近位置データおよび前記直近視界方向データに対応する前記情報を選択のうえ、前記直近傾斜視界データに基づき前記受理側装置へ送出する送出データに加工する、
構成としたことを特徴とする。
【００１５】
本発明の請求項９に係る模擬移動処理システムは請求項８記載のもので、前記記録手段は、
位置および視界方向に同時に対応する前記情報を記録して保有するか、
または位置および視界方向および前記視界方向の水平または垂直方向からの回動の程度を示す傾斜視界に対応する前記情報を記録して保有し、
前記受入手段は前記受理側装置からさらに、前記傾斜視界を示す傾斜視界データを到着の度に与件の受取データとして受取り直近傾斜視界データとし、
前記情報選択加工手段は、
保有する情報中から前記直近位置データおよび前記直近視界方向データおよび前記直近傾斜視界データに対応する前記情報を選択し、前記受理側装置へ送出する送出データに加工するか、
または、保有する情報中から前記直近位置データおよび前記直近視界方向データに対応する前記情報を選択のうえ、前記直近傾斜視界データに基づき前記受理側装置へ送出する送出データに加工する、
構成としたことを特徴とする。
【００１６】
請求項４の模擬移動処理方法および請求項９の模擬移動処理システムによれば、
直近位置データおよび直近視界方向データおよび直近傾斜視界データに基づき選択された情報が送出データに載せて送出されるか、または直近位置データおよび直近視界方向データに基づき選択された情報が直近傾斜視界データに基づき送出データに加工され、送出される。よって利用者が指定する任意の傾斜視界に対応する送出データの送出が為される。
【００１７】
本発明の請求項５に係る模擬移動処理方法は、請求項１乃至４の何れかに記載のもので、前記受取データの受取回数または受取量に基づくか、または前記送出データの送出回数または送出量に基づいて、前記受理側装置への課金額の演算処理を実行する課金過程を備えたことを特徴とする。
【００１８】
本発明の請求項１０に係る模擬移動処理システムは、請求項６乃至９の何れかに記載のもので、受取った受取データの受取回数または受取量に基づくか、または送出した送出データの送出回数または送出量に基づいて、前記受理側装置への課金額の演算処理を実行する課金手段を備えたことを特徴とする。
【００１９】
請求項５の模擬移動処理方法および請求項１０の模擬移動処理システムによれば、受取データの受取回数または受取量か、または送出データの送出回数または送出量に応じて課金額を演算することにより、利用状況を反映した課金額が決定される。
【００２０】
本発明に係る実施形態の説明に先立って用語を例示的に説明する。なお当然ながら以下の用語は本発明の理解を助する説明であり、本発明の構成と動作・効果を網羅的に説明するものではない。
【００２１】
用語例：
「模擬移動処理システム」：模擬移動処理システムはその一例として、着目する位置または地点における映像データや、さらに種々の視界方向の映像データを準備してこれをコンテンツ情報として保持し、また模擬移動処理サービスを所望する受理側装置から指定された模擬移動の開始位置、行先、移動速度などや、さらに経路に基づき前記コンテンツ情報を含む模擬移動に係る送出データを作成し、前記受理側装置へ授与して模擬移動処理サービスを行うシステムがある。例えば受理側装置と模擬移動処理システムがクライアント／サーバ・システム構成であれば、模擬移動処理システムはサーバ側を担う。
【００２２】
「受理側装置」：受理側装置はその一例として、上記の模擬移動処理システムに通信機構経由で接続して模擬移動の開始位置、行先、移動速度などを送付し、模擬移動処理システムが授与する模擬移動処理サービスを受ける装置があり、利用者によって操作される。例えば受理側装置と模擬移動処理システムがクライアント／サーバ・システム構成であれば、受理側装置はクライアント側を担う。
【００２３】
「位置」：実空間または仮想空間上の一地点を特定するもので、現実の地点や仮想の地点となる。位置は例としてコンテンツ情報に関連付けられる。例えば一つの位置に少なくとも一つのコンテンツ情報を対応させることがある。または一つの位置および一つの視界方向に少なくとも一つのコンテンツ情報を対応させることもある。位置は、２次元座標値（緯度、経度）または３次元座標値（緯度、経度、高度）で形成される。
【００２４】
「視界方向」：撮像機が撮影時の撮影方向、または観者が観察を所望する方向が視界方向であり、２次元構成（緯度方向、経度方向）または３次元構成（緯度方向、経度方向、高度方向）となる。
したがって模擬移動する方向と視界方向は一般的には一致しない。例として、経路を走行する自動車を想定すると、運転席や助手席に座る観者の移動方向は走行方向と同一であり、ここで観者が前方を向いていれば、視界方向も走行方向と同一となる。一方、列車の後部展望車を想定すると観者の視線が走行方向と逆を向き、後方に走り去る風景を観る場合は、視界方向は走行方向と逆になる。
【００２５】
このように、視界方向が同一であっても移動方向が異なるか、または移動方向が同一であっても視界方向が異なれば、映像の流れも自ずと異なるものとなり、一方は眼前に迫り来る風景を観るが、他方では走り去る風景を観ることになる。後者は後ずさりする際の映像となる。その他、走行する移動体の側面の車窓から見る風景は左から右に流れるか、または右から左に流れる。本発明では利用者によって指定された視界方向データが与件として送付されてくる。
【００２６】
「傾斜視界」：上記視界方向を、水平方向（左右）または垂直方向（天地）から任意の角度だけ傾斜させた場合が傾斜視界である。これは視界方向が張る画面領域を変形させることなく、その中心から所望の角度だけ回動させたものであり、その回動または傾斜の度合いを示すデータが傾斜視界データとなる。
水平方向（左右）または垂直方向（天地）から傾いていない映像を標準映像とすると、これを傾斜視界データの示す度合いだけ回動すなわち傾斜させた映像とすることができる。本発明では利用者によって指定された傾斜視界データが与件として送付されてくる。
【００２７】
「コンテンツ情報」：コンテンツ情報はその一例として、音声付き映像、または映像、または音声のデータであり、総括的に映像データと記載することがある。さらにコンテンツ種類の特定データやその他関連する制御コードを含めることもある。コンテンツ情報は少なくとも上記の位置に関連付けることができる。たとえばコンテンツ情報に少なくとも位置を一つ対応させる。またはコンテンツ情報に少なくとも一つの位置および一つの視界方向を対応させることがある。またはコンテンツ情報に少なくとも一つの位置および一つの視界方向および一つの傾斜視界を対応させることがある。
【００２８】
「情報の集合」：一例としてデータベースに蓄積された、まとまった情報の群であり、情報として映像データを符号Ｃｔｓで表記すると、
「映像データの集合ｓｅｔ＿Ｃｔｓ」
のように表記される。
【００２９】
「呈示」：呈示はその例として、画面表示、印字印刷、音声オーディオ奏鳴、外部へのデータ（信号）出力の少なくとも何れかを含むものとする。
【００３０】
【発明の実施の形態】
以下、この発明の概要、および好適な実施形態を、添付図を参照して詳細に説明する。なお、以下に述べる各実施形態はこの発明の本質的な構成と作用を示すための好適な例の一部であり、したがって技術構成上好ましい種々の限定が付されている場合があるが、この発明の範囲は、以下の説明において特にこの発明を限定する旨の記載がない限り、これらの概要や形態に限られるものではない。
【００３１】
図１は本発明に係る模擬移動処理システムの概要と、受理側装置および通信機構の相互関係の一例を示す説明図である。
図２は受理側装置の送付する要求信号および模擬移動処理システムの送出する送出信号の一例の説明図である。
【００３２】
本発明にかかる模擬移動処理システムＳＶは、クライアント／サーバ・システムのサーバを担うものであり、図１に示されるように受理側装置（クライアント）ＣＬと通信機構ＮＴを介して接続され、ブロードバンド通信対応で構成される。
模擬移動処理システムＳＶは少なくとも位置に対応するコンテンツ情報Ｃｔｓを保有し、受理側装置ＣＬからの要求に応じてこれらコンテンツ情報Ｃｔｓを送出して模擬移動データ処理する。受理側装置ＣＬは模擬移動処理システムに、この模擬移動処理サービスの対価を支払う。
【００３３】
以下、図１に基づいて模擬移動処理システムＳＶの構成を説明する。
模擬移動処理システムＳＶはデータベース部ＤＢを備えた、当該模擬移動処理サービスのホストサーバとして機能するコンピュータシステムとして構成され、メインフレームコンピュータ、ワークステーション、パソコンの組合せ等のコンピュータシステムの適用により具現される。さらにイントラネットやＬＡＮによって接続された複数のコンピュータ機器で構成されるか、或いは物理的に同一のコンピュータ機器内に構築され、全体としてマルチプラットフォーム対応で構成される。従って図示されない１基以上のプロセッサ（ＣＰＵ）、ＲＡＭ、ＲＯＭ等のメモリ、ブロードバンド（高速大容量）対応の通信インタフェース、バス等の構成部分を備えるが、これらはブロードバンド通信対応の一般的なコンピュータシステムの構成部分であり、よって冗長と煩雑を排除するべく説明は省略される。
【００３４】
模擬移動処理システムＳＶは、夫々少なくとも一部が前記演算処理装置ＣＰＵによって読取り実行可能なコンピュータプログラム（ソフトウエア・モジュール）で構成された制御部１０、情報受取部１１、模擬移動処理部１２、情報編成・送出部１３、認証・課金部２０、データベース部ＤＢを具備し、さらに当該模擬移動処理システムＳＶへのデータ授受に介在する不図示の通信インタフェース、また電源部を備える。
データベース部ＤＢは前記請求項記載の記録手段の、また情報受取部１１は前記請求項記載の受入手段の、夫々一具現例である。また模擬移動処理部１２は前記請求項記載の位置演算手段の、また情報編成・送出部１３は前記請求項記載の情報選択加工手段及び送出手段の、夫々一具現例である。認証・課金部２０は前記請求項記載の課金手段の一具現例である。
【００３５】
情報受取部１１は、通信機構ＮＴを経て受理側装置ＣＬから送付される、模擬移動処理サービスを模擬移動処理システムＳＶへ要求する要求信号ＣＬａまたはＣＬｂを受取り、これら信号から受取データを復元し、認証・課金部２０に当該受理側装置ＣＬが正当であるかの認証を実行させ、また当該サービスへの対価を課金処理させ、ついで受取データを模擬移動処理部１２へ送る構成とされる。
【００３６】
模擬移動処理部１２は送られた受取データに基づきデータベース部ＤＢの地図データｍａｐを参照して模擬移動の経路を確認のうえ、模擬移動位置を演算して情報編成・送出部１３へ送り、目的とする行先に模擬移動するまで上記動作を更新反復する構成とされる。
【００３７】
情報編成・送出部１３は送られた直近の模擬移動位置に基づきデータベース部ＤＢのコンテンツ部ＣＴｄを検索して該当する映像データＣｔｓを読み出して送出データを作成し、ついで送出可能な送出信号ＳＶａまたはＳＶｂを編成して通信機構ＮＴを経て受理側装置ＣＬへ送出し、模擬移動処理部１２から直近模擬移動位置の出力のある間、上記動作を更新反復する構成とされる。
【００３８】
さらに認証・課金部２０は情報受取部１１と作用して、受理側装置ＣＬの認証と、この模擬移動処理サービスへの課金を実行する。または不図示であるが認証・課金部２０が情報編成・送出部１３と作用して課金処理する構成とすることもできる。制御部１０は上記各部の動作管理およびタイミング制御を司る構成とされる。
【００３９】
模擬移動処理システムＳＶには、受理側装置ＣＬから要求信号ＣＬａ１、ＣＬｂ１、ＣＬａ２、ＣＬｂ２の何れかが送付される。なお図１および図２ではこれらを纏めた要求信号ＣＬａ、ＣＬｂが図示されている。
【００４０】
要求信号ＣＬａ１には、受理側識別データｉｄ、要求データｑｄ、開始位置データｓｐｄ、行先データｄｓｔｄ、移動速度データｍｄに加え、さらに経路データｒｄが搭載される。また要求信号ＣＬａ２には上記要求信号ＣＬａ１に加えて更に視界方向データｄｄまたは／および傾斜視界データａｎｇｄが搭載される。
要求信号ＣＬｂ１には、受理側識別データｉｄ、要求データｑｄ、開始位置データｓｐｄ、行先データｄｓｔｄ、移動速度データｍｄが搭載されるが、経路データは搭載されない。また要求信号ＣＬｂ２には上記要求信号ＣＬｂ１に加えて更に視界方向データｄｄまたは／および傾斜視界データａｎｇｄが搭載される。
【００４１】
模擬移動処理システムＳＶは、受理側装置ＣＬから上記要求信号ＣＬａ１、ＣＬｂ１、ＣＬａ２、ＣＬｂ２のいずれかを受取ると、それぞれに対応した送出信号ＳＶａ１、ＳＶｂ１、ＳＶａ２、ＳＶｂ２を受理側装置ＣＬへ送出する。なお図２ではこれらを纏めた送出信号ＳＶａ、ＳＶｂが図示されている。
送出信号ＳＶａ１には、少なくとも受理側識別データｉｄと模擬移動データｓｍｄｔが搭載される。この場合、模擬移動データｓｍｄｔは映像データＣｔｓか、または映像データＣｔｓ及び該当地図データｍａｐで構成される。送出信号ＳＶｂ１には上記送出信号ＳＶａ１に加えて更に適合経路データｒｔが搭載される。
送出信号ＳＶａ２には、少なくとも受理側識別データｉｄと模擬移動データｓｍｄｔが搭載されるが、この場合の模擬移動データｓｍｄｔは指定があった視界方向・傾斜視界による映像データＣｔｓか、または当該映像データＣｔｓ及び該当地図データｍａｐで構成される。送出信号ＳＶｂ２には上記送出信号ＳＶａ２に加えて更に適合経路データｒｔが搭載される。
【００４２】
データベース部ＤＢは大記録容量の媒体を具備して大容量のコンテンツ情報Ｃｔｓの蓄積管理が可能に構成され、好適には例えば複数の磁気ディスク列（ディスクアレイ）で構成される大容量ＲＡＩＤシステム等で構成される。さらに補完的に着脱式磁気テープによるＶＴＲ（または複数のＶＴＲによる大記録容量システム）の適用も可能である。
【００４３】
図３にデータベース部ＤＢの概要を示す。データベース部ＤＢには、検索基準情報（位置情報ｐや視界方向情報ｄ）の集合（ｓｅｔ＿ｐやｓｅｔ＿ｄ）から成る検索基準情報部ＲＴｄと、さらにコンテンツ情報の一例として、着目する位置（地点）において撮像・収録された映像または／および音声データを纏めて映像データＣｔｓと記載すると、これら映像データＣｔｓの集合ｓｅｔ＿Ｃｔｓから成るコンテンツ部ＣＴｄと、地図データｍａｐの集合ｓｅｔ＿ｍａｐから成る地図部ＭＰｄが具備される。
地図部ＭＰｄは適合する経路を設定する処理手段によってアクセス可能に構成され、また検索基準情報部ＲＴｄとコンテンツ部ＣＴｄは情報選択に係る処理手段によってアクセス可能に構成される。
【００４４】
位置データｐｄは位置の検索に係るデータであり、模擬移動中の直近位置を特定する。また視界方向データｄｄは指定された視界方向を示すデータである。これらはデータベース検索処理において検索データとして検索基準情報部ＲＴｄへ入力され、検索基準情報である予め準備された位置情報ｐおよび視界方向情報ｄと対応付けられる。図３では入力された位置データｐｄは位置情報ｐ８と、また入力された視界方向データｄｄは視界方向情報ｄ２と夫々対応する。
【００４５】
さらに位置情報ｐ８にはコンテンツ部ＣＴｄの映像データＣｔｓのサブセットｓｕｂ＿ｐ８・Ｃｔｓが対応しており、視界方向情報ｄ２にはコンテンツ部ＣＴｄの映像データＣｔｓのサブセットｓｕｂ＿ｄ２・Ｃｔｓが対応している。したがって位置データｐｄと視界方向データｄｄの両方に同時に対応する映像データＣｔｓは、サブセットｓｕｂ＿ｐ８・Ｃｔｓとサブセットｓｕｂ＿ｄ２・Ｃｔｓのインターセクションである映像データＣｔｓ８ｅとなり、これが検索結果としてデータベース部ＤＢから出力される。
【００４６】
このようにデータベース部ＤＢは少なくとも対象とする位置（或る地域の或る地点）を特定する位置情報と、その位置に関連するコンテンツ情報（例えば映像データ）を基本的なデータ群として収録してデータベースを構築することで、模擬移動処理中に必要とされるコンテンツ情報の提供を行うことが可能に構成される。対象とする位置は原理的に、全ゆる地域の全ゆる地点が可能であり、実施においては収録する位置情報とコンテンツ情報を次第に拡張して蓄積データ資産を充実させることにより、さらに広範な地域に係る情報提供サービスに対応することが可能になる。
【００４７】
上記に加えさらに、各位置におけるコンテンツ情報を視界方向依存とすることにより、任意の位置における任意の視界方向が要求されると該当するコンテンツ情報として映像データを提供することを可能にする。すなわち夫々の位置につき、原理的にはあらゆる視界方向の映像データを蓄積して、要求にしたがい該当する映像データを提供することを可能にする。また各位置における映像データを、視界方向に加え前述の傾斜視界依存とすることもできる。
【００４８】
通信機構ＮＴ：
通信機構ＮＴはブロードバンド対応の片方向または双方向データ伝送回線を具備するネットワークで、模擬移動処理システムＳＶと各受理側装置ＣＬを接続し、有線または／および無線伝送対応のインターネット機構などが適用される。
【００４９】
つぎに図１に基づいて受理側装置ＣＬの構成を説明する。
受理側装置ＣＬは、模擬移動や仮想旅行を所望する利用者によって操作が可能なパソコンやゲーム機器をはじめ、携帯電話機やＰＤＡなどのモバイル機器を含む無線／有線通信機能を具備するコンピュータ構成の機器であり、コマンドデータやビデオデータを伝送するためのバス、演算処理実行に関わる演算処理装置ＣＰＵ（Ｃｅｎｔｒａｌ　Ｐｒｏｃｅｓｓｉｎｇ　Ｕｎｉｔ）、デイスプレイに表示されるビデオデータやＧＵＩのためのグラフイツク表示を管理する呈示コントローラ、通信機構ＮＴとのデータ授受にかかる通信インタフェース、キーボードやマウス及びペン・タブレツト等のポインテイングデバイスからの入力データの処理に関わる入力デバイスインターフエイスや外部インターフエイスを有し、さらにオペレーテイングシステムやブラウザをはじめ一部のアプリケーシヨン・ソフトウエアが格納されている読み出し専用記憶装置ＲＯＭ（Ｒｅａｄ　Ｏｎｌｙ　Ｍｅｍｏｒｙ）または／およびハード磁気ディスク装置等のデータ記録装置と、アツプロードされたアプリケーシヨン・ソフトウエアやＣＰＵの実行過程で発生するデータを暫定格納する読み書き可能な記憶装置ＲＡＭ（Ｒａｎｄｏｍ　Ａｃｃｅｓｓ　Ｍｅｍｏｒｙ）などを具備するが、これらは一般的なコンピュータ構成であり、よって冗長と煩雑を避けるべく詳細説明は割愛される。
【００５０】
受理側装置ＣＬは、利用者による所望のサービスの要求、開始位置、行先、経路、移動速度、視界方向、傾斜視界などの入力操作を受けて各データを発生させる発生グループ１に加え、上記発生データを取込み、編成して通信機構ＮＴ経由で模擬移動処理システムＳＶへ要求信号ＣＬａまたはＣＬｂとして送付する要求データ編成・送付部２、この受理側装置ＣＬの識別情報を管理するｉｄ管理部３、さらに模擬移動処理システムＳＶから送出された送出信号ＳＶａまたはＳＶｂを通信機構ＮＴ経由で受理して呈示するデータ受理・呈示部４、電源部Ｐｗを具備する。
【００５１】
要求データ編成・送付部２、ｉｄ管理部３、および発生グループ１の一部分とデータ受理・呈示部４の一部分は前記演算処理装置ＣＰＵによって読取り実行可能なコンピュータプログラム（ソフトウエア・モジュール）として具現され、ＲＯＭまたは／およびハード磁気ディスク装置等に格納される。
【００５２】
第１の実施形態の模擬移動処理システムＳＶ１：
図４は本発明に係る模擬移動処理システムの第１の実施形態のブロック構成図である。模擬移動処理システムＳＶ１は通信機構ＮＴを介して図７に示される受理側装置ＣＬ１と接続され、その相互関係は前記図１の説明が援用される。
以下、第１の実施形態の模擬移動処理システムＳＶ１を構成する各手段と請求項との対応を説明する。
【００５３】
データベース部ＤＢ１は請求項６記載の、位置に対応する情報を記録して保有する記録手段の一具現例である。
受取手段１０１と直近データ管理手段１０２と記憶手段１０３は請求項６記載の受入手段の一具現例であり、受理側装置から通信機構経由で送付される移動開始位置を示す開始位置データと、行先指定を示す行先データと、移動の経路指定を示す経路データと、移動速度指定を示す移動速度データとを到着の度に与件の受取データとして受取ると、夫々を直近位置データ、直近行先データ、直近経路データ、直近移動速度データとするという、請求項１記載の受入過程を実行する。
【００５４】
位置演算手段１１３は請求項６記載の位置演算手段の一具現例であり、前記直近経路データが示す直近経路上を、前記直近位置データが示す直近位置から前記直近移動速度データが示す前記直近移動速度で所定の時間だけ模擬移動した際の位置を演算して前記直近位置データを更新するという請求項１記載の位置演算過程を実行する。
情報選択手段１１４と情報加工手段１１５は請求項６記載の情報選択加工手段の一具現例であり、保有する情報中から前記直近位置データに対応する前記情報を選択し、前記受理側装置へ送出する送出データに加工するという請求項１記載の情報選択加工過程を実行する。
送出手段１１６は請求項６記載の送出手段の一具現例であり、少なくとも前記送出データを通信機構経由で前記受理側装置へ送出するという請求項１記載の送出過程を実行する。
【００５５】
課金決済手段８１は請求項１０記載の課金手段の一具現例であり、前記受取データの受取回数または受取量に基づくか、または前記送出データの送出回数または送出量に基づいて前記受理側装置への課金額の演算処理を実行するという、請求項５記載の課金過程を実行する。
【００５６】
以下、各手段及び各部を説明する。
受取手段１０１：
受取手段１０１は受理側装置ＣＬ１から通信機構ＮＴを介して送付されてくる要求信号ＣＬａ１を受取り、データ伸張して受取データを復元する動作を実行するコンピュータプログラムを具備して構成される。復元した受取データには受理側識別データｉｄ、要求データｑｄ、開始位置データｓｐｄ、行先データｄｓｔｄ、経路データｒｄ、移動速度データｍｄなどが含まれ、これらは現在のサービスセッションの登録タームとして不図示のメモリに記憶される。
【００５７】
ついで受理側識別データｉｄを抽出し、セッション継続中であれば記憶されている現在のサービスセッションの登録タームと対照して確認し、セッション継続中でなければ認証手段８０へ認証委託ののち、新規にサービスセッション登録をして、要求データｑｄの内容を確認のうえ、開始位置データｓｐｄ、行先データｄｓｔｄ、移動速度データｍｄを直近データ管理手段１０２へ送り、また経路データｒｄを位置演算手段１１３へ直接伝達する構成とされる。
なお経路データｒｄの位置演算手段１１３への伝達は上記のような直接伝達以外に、前記メモリに記憶させた登録タームを位置演算手段１１３が読み出すことにより、或いは後述する記憶手段１０３に経路データｒｄを記憶させる構成として記憶手段１０３を媒介に伝達するようにしてもよい。
【００５８】
認証手段８０：
認証手段８０は、受取手段１０１から信号８０ｂを受けると、載せられた受理側識別データｉｄに基づき不図示の一覧表を参照して受理側認証し、結果通知を受取手段１０１へ返送する動作を実行するコンピュータプログラムを具備して構成される。
【００５９】
直近データ管理手段１０２：
直近データ管理手段１０２は受取手段１０１から開始位置データｓｐｄ、行先データｄｓｔｄ、移動速度データｍｄを受け、それぞれ直近位置データｐｄ、直近行先データｄｓｔｄ、直近移動速度データｍｄとして記憶手段１０３へ記憶させる動作を実行するコンピュータプログラムを具備して構成される。
【００６０】
記憶手段１０３：
記憶手段１０３は例えばフラッシュメモリや磁気ディスク媒体で構成され、直近データ管理手段１０２から直近行先データｄｓｔｄ、直近位置データｐｄ、直近移動速度データｍｄが送られるとこれらを記憶し、また更新する。さらに位置演算手段１１３からの読出しを受け、また位置演算手段１１３から送られたデータにより直近位置データｐｄを更新する構成とされる。
【００６１】
位置演算手段１１３：
位置演算手段１１３は受取手段１０１から送られた経路データｒｄを直近経路データと認識し、また記憶手段１０３から直近位置データｐｄと直近移動速度データｍｄを読み出し、直近経路データｒｄが示す直近経路上を、直近位置データｐｄが示す直近位置から直近移動速度データｍｄが示す直近移動速度で所定の時間だけ模擬移動した際の位置を演算して、記憶手段１０３の直近位置データｐｄを更新するとともに、この直近位置データｐｄを情報選択手段１１４へ送るという動作を実行するコンピュータプログラムを具備して構成される。
直近位置データｐｄは２次元座標値（緯度、経度）または３次元座標値（緯度、経度、高度）で形成される。
【００６２】
情報選択手段１１４：
情報選択手段１１４はＤＢＭＳ機能を利用したデータベース部ＤＢ１の検索を実行するものであり、位置演算手段１１３から送られた直近位置データｐｄに基づきデータベース部ＤＢ１を検索し、適合した映像データＣｔｓを情報加工手段１１５へ送る動作を実行するコンピュータプログラムを具備して構成される。
【００６３】
映像データＣｔｓにつき解説する。
データベース部ＤＢ１のコンテンツ部ＣＴｄに格納されているコンテンツ情報の一形態である映像データＣｔｓは、コンテンツ本体（エッセンスと呼称されている）またはエッセンスと制御コードで構成される。エッセンスは例えば映像、音声付き映像などであり、ＷＭＬ（ワイヤレス・マークアップ・ランゲージ：またはその拡張）等で記述されている。
ここで各エッセンスは位置情報ｐに対応しているが、その撮像方向（再生時にはこれが視界方向となる）は撮像時の所定の方向であり、例えば移動の進行方向に予め設定されたものであり、よって受理側装置ＣＬ１には予め定められた所定の視界方向のエッセンスの映像データＣｔｓだけが提供されることになる。さらに傾斜視界についても同様に予め定められた所定の傾斜視界のエッセンスだけが提供される。
また制御コードはエッセンスや他のデータ（経路、地図など）を画面表示する際の呈示形態を制御する際に適用でき、サブウインドウ構成、さらにその階層制御、エッセンスのフルスクリーン表示、音声のカット、プルダウン・メニューによる選択を可能にする構成等の呈示形態の制御を可能にし、それぞれの指示が受理側装置ＣＬ１のブラウザに付与される。
制御コードはさらに、呈示の開始と中断、終了といった動作制御にも適用される。
【００６４】
情報加工手段１１５：
情報加工手段１１５は上記のような所定視界方向・所定傾斜視界によるエッセンスとしての映像データＣｔｓにデータ圧縮等の情報加工を施して模擬移動データｓｍｄｔを作成し、ついで現在登録され記憶されたサービスセッションデータから受理側識別データｉｄを読み込み、受理側識別データｉｄと模擬移動データｓｍｄｔから成る送出データを作成して送出手段１１６へ送る動作を実行するコンピュータプログラムを具備して構成される。データ圧縮処理は例えば動画像データではＭＰＥＧ４等が、また静止画像データではＪＰＥＧ準拠のアルゴリズム等をはじめ、他の任意のアルゴリズムが適用される。
【００６５】
また上記でインターネット機構経由でのサービスの場合は、送出データをＨＴＭＬコンテンツに編成するか、さらにＷＡＰ対応の場合は送出データをＷＭＬコンテンツまたはＸＨＴＭＬコンテンツに編成する構成とされる。
【００６６】
送出手段１１６：
送出手段１１６は情報加工手段１１５から送出データの送付を受けると、受理側装置ＣＬ１への課金額の演算のため課金決済手段８１と信号８１ｂの授受で処理し、ついで送出データに基づきセキュリティ処理、プロトコル調整等の加工により送出信号ＳＶａ１を作成して通信機構ＮＴへ送出する動作を実行するコンピュータプログラムを具備して構成される。プロトコル調整は、送出データがＨＴＭＬコンテンツであれば例えばインターネット機構経由での伝送と認識してＨＴＴＰレスポンスに調整し、さらにＷＭＬコンテンツまたはＸＨＴＭＬコンテンツであればＷＡＰ対応の伝送と認識してＷＳＰレスポンスに調整する。
【００６７】
課金決済手段８１：
課金決済手段８１は送出手段１１６から信号８１ｂが入ると、不図示の課金表を参照し、受理側識別データｉｄに基づき登録されている利用者または受理側装置ＣＬへの課金額を演算処理し、演算処理結果の通知を送出手段１１６へ返送する動作を実行するコンピュータプログラムを具備して構成される。ここでは課金額を原則的に送出データの送出回数または／および送出データ量に基づき算出するものとし、送出回数や送出データ量は課金決済手段８１において計数または計量するほか、他の手段から送出情報を得る構成とすることもできる。
課金表は不図示のフラッシュメモリや磁気ディスク媒体などの記憶手段に記憶された課金単価データを載せる。課金単価は情報の種類、情報の従量に基づき設定されている。課金決済手段８１は例えば送出データ量に基づき上記記憶手段中の課金単価データから該当する課金単価を選択し、この選択された課金単価および送出データ量に基づき課金額を演算する。
【００６８】
さらに上記の課金額の演算処理に加え、請求書発行処理や、口座引落しによる決済処理等の少なくとも何れかを課金処理として、課金決済手段８１が当該課金処理を実行する構成にできる。
また上記のような、課金決済手段８１が送出手段１１６からのコマンドにより作動して、結果通知を送出手段１１６へ返送する構成は、サービスデータのクライアント側への送出時または直後に課金処理する方式（所謂、出口課金）であるが、これに代えてクライアント側から前記要求情報を受取った時点で要求情報の受取回数や受取量に基づき課金処理する方式（所謂、入口課金）とすることもできる。さらに入口／出口課金方式を問わず、サービスセッションの途中で随時課金処理する構成や、サービスセッションの終了時に一括して課金処理する総課金（出口課金方式に適合）の構成が可能である。
【００６９】
また課金処理を送出信号ＳＶａ１の送出の度に実行するか、或いは送出した送出信号ＳＶａ１の回数を送出手段１１６などでカウンタに累積し、所定の回数に達した時点で従量課金処理するよう構成することもできる。
【００７０】
ところでサービス利用料金の課金額の演算については、当該受理側装置ＣＬ１の機器の登録利用者（図７に示すｉｄ管理部３に利用者データ登録が為されている）への課金額を演算する場合と、利用者データ登録をしていない、識別情報を入力した暫定利用者への課金額を演算する場合とがある。一般的には前者の機器登録利用者への課金処理とするが、後者の課金処理をする場合には要求データｑｄに当該暫定利用者の識別情報を入力させる構成とすることもできる。
【００７１】
制御部１００：
制御部１００はこの模擬移動処理システムＳＶ１全体の動作制御を司り、起動・停止を含めた動作を制御する。各部及び各手段の状態をセンスし、これらに不図示の制御信号を発行する構成とされる。
【００７２】
ここで模擬移動処理システムＳＶ１の構成につき追記すると、複数のサーバから構成する場合にＳＡＮ（Ｓｔｏｒａｇｅ　Ａｒｅａ　Ｎｅｔｗｏｒｋ）の適用による処理の効率化を図ることが好ましい。
ストレージ・エリア・ネットワークは複数のサーバで記憶装置を共用するネットワークの運用形態であり、複数のサーバを擁するＬＡＮにおいて、各サーバが備えるハードディスクを切り離して例えばＲＡＩＤシステムに統合し、各サーバとＲＡＩＤシステムをファイバーチャネルなどを使った別の高速ネットワーク回線で接続し、サーバ間でデータを共有する構成とする。これにより大容量データの共有、複数のサーバによる連携処理の処理効率向上、サーバ間のデータ授受をＬＡＮから切り離すことによる、サーバ・クライアント間のネットワーク負荷軽減といった利点を具現できる。
上記に加えさらに、特定の部分へ集中するデータ処理負荷や回線負荷を下げるべく、広域負荷分散構成とすることが好ましい。また不特定多数のクライアントからオンデマンド・ベースで要求データが到着するので、課金決済のための手段として課金プロキシサーバ構成が好ましい。
【００７３】
つぎに説明の便宜上、上記模擬移動処理システムＳＶ１の動作の説明に先立って、受理側装置ＣＬ１の構成とその動作を以下に説明する。
図７は受理側装置ＣＬ１のブロック構成図である。
受理側装置ＣＬ１は、図７に示されるように所望のサービスの要求入力を要求データｑｄとして処理する要求データ入力手段１０００、模擬移動の開始位置の入力を開始位置データｓｐｄとして処理する開始位置データ入力手段１００１、所望の行先の入力を行先データｄｓｔｄとして処理する行先データ入力手段１００２、模擬移動時の所望の速度の入力を移動速度データｍｄとして処理する移動速度データ入力手段１００３、所望の経路の入力を経路データｒｄとして処理する経路データ入力手段１００４の、利用者の操作によって発生する入力のデータ処理に関与する各手段（まとめて発生グループと呼ぶ）に加え、取込手段１１１２および編成手段１１１４および送付手段１１１５、ｉｄ管理部３、受理手段１１２１および呈示装置１１２２、制御部Ｃｎｔ１、通信インタフェースｉｆｃ、電源部Ｐｗを具備する。
【００７４】
制御部Ｃｎｔ１、取込手段１１１２、編成手段１１１４、送付手段１１１５、ｉｄ管理部３、受理手段１１２１、および上記発生グループの各手段の一部分と呈示装置１１２２の一部分は前記演算処理装置ＣＰＵによって読取り実行可能なコンピュータプログラム（ソフトウエア・モジュール）として具現され、ＲＯＭまたは／およびハード磁気ディスク装置等に格納される。
【００７５】
以下、各手段を順に説明する。
要求データ入力手段１０００：
要求データ入力手段１０００は、利用者がこのサービス開始を模擬移動処理システムＳＶ１などへ要求するときに要求データｑｄを入力する手段であり、利用者が操作容易なボタンやキー、マウス、パッドなど一般的な手動入力機器と関連ソフトウエア（ＧＵＩを含む）により具現されている。この要求データｑｄ発生によってサービスセッションがスタートする。
要求データｑｄには、少なくとも利用者が所望するサービス種別データが搭載される。ここでサービス種別には、所望する模擬移動処理システムＳＶ１などの指定、送付するデータの種類（例えば開始位置と行先のみ、等）の指定、所望する模擬移動処理データの種類（例えば映像および経路）の情報などが含まれる。さらに使用する通信回線の種類やプロバイダ（インターネット利用の場合）の情報を含めることもできる。
要求データｑｄは取込手段１１１２へ入力される。またサービスセッション進行中に利用者の操作で新たに要求データｑｄが発生すると、それまでのサービスセッションはここで終了し、新たなサービスセッションへの移行がなされる。
【００７６】
開始位置データ入力手段１００１：
開始位置データ入力手段１００１は利用者が所望の模擬移動の開始地点を指定するときに、所望の開始位置データｓｐｄを入力する手段であり、利用者が操作容易なボタンやキー、マウス、パッドなど一般的な手動入力機器と関連ソフトウエアにより具現されている。開始位置データｓｐｄは取込手段１１１２へ入力される。
行先データ入力手段１００２：
行先データ入力手段１００２は利用者が所望の行先を指定するときに、所望の行先データｄｓｔｄを入力する手段であり、利用者が操作容易なボタンやキー、マウス、パッドなど一般的な手動入力機器と関連ソフトウエアにより具現されている。行先データｄｓｔｄは取込手段１１１２へ入力される。
【００７７】
移動速度データ入力手段１００３：
移動速度データ入力手段１００３は所望する移動速度を指定する移動速度データｍｄを入力する手段であり、ボタンやキー、マウス、パッドなど一般的な入力機器と関連ソフトウエアにより構成されている。移動速度データｍｄは主として２次元方向（緯度方向、経度方向）または３次元方向（緯度方向、経度方向、高度方向）のデータで指定され、取込手段１１１２へ入力される。
【００７８】
経路データ入力手段１００４：
経路データ入力手段１００４は所望する移動経路を指定する経路データｒｄを入力する手段であり、ボタンやキー、マウス、パッドなど一般的な入力機器と関連ソフトウエアにより構成されている。
【００７９】
取込手段１１１２：
取込手段１１１２は、要求データｑｄや開始位置データｓｐｄ、行先データｄｓｔｄ、移動方向データｍｄ、経路データｒｄの取込が可能に構成される。受けたデータが要求データ入力手段１０００から入力されたデータであることを確認すると、サービス開始を認識し、このデータを要求データｑｄとして直ちに取込み、内容確認のうえメモリ（不図示）に記憶する。ついで開始位置データｓｐｄ、行先データｄｓｔｄ、移動方向データｍｄ、経路データｒｄを順不同に取り込み、これらデータと記憶している要求データｑｄとを載せた信号１１２ａを作成して編成手段１１１４へ送る構成とされる。
【００８０】
編成手段１１１４：
編成手段１１１４は取込手段１１１２から送られた信号１１２ａに載ったデータをフラッシュメモリなどの不図示の記憶手段に記録し、またｉｄ管理部３を参照して得た識別データｉｄに、記録した前記データを加えた要求データを編成し、信号１１４ａとして送付手段１１１５へ送る構成とされる。
【００８１】
ｉｄ管理部３：
ｉｄ管理部３は、登録した利用者等の識別データを受理側識別データｉｄとして管理し、編成手段１１１４からの指示に基づき受理側識別データｉｄを編成手段１１１４へ入力する構成とされる。
【００８２】
送付手段１１１５：
送付手段１１１５は編成手段１１１４から送られた信号１１４ａに基づき、暗号化・セキュリティ処理およびプロトコル調整を施して要求信号ＣＬａ１またはＣＬｂ１を作成し、通信インタフェースｉｆｃ経由で通信機構ＮＴへ送付する。通信機構ＮＴはこれを模擬移動処理システムＳＶ１等へ伝送する構成とされる。
要求信号ＣＬａ１、ＣＬｂ１のデータ構成の一例が図２の項目（ａ）と（ｂ）に示される。要求信号ＣＬａ１には受理側識別データｉｄ、要求データｑｄ、開始位置データｓｐｄ、行先データｄｓｔｄ、移動速度データｍｄと、さらにオプションデータｏｐｄとして経路データｒｄが塔載される。
要求信号ＣＬｂ１には受理側識別データｉｄ、要求データｑｄ、開始位置データｓｐｄ、行先データｄｓｔｄ、移動速度データｍｄが塔載される。
【００８３】
受理手段１１２１：
受理手段１１２１は模擬移動処理システムＳＶ１等から通信機構ＮＴによって伝送された送出信号ＳＶａ１またはＳＶｂ１を通信インタフェースｉｆｃ経由で受ける。
受理手段１１２１は送出信号ＳＶａ１またはＳＶｂ１にプロトコル処理等を施して送出データを復元し、受理側識別データｉｄを照合して受理する。ついで送出データに含まれている模擬移動データｓｍｄｔの映像データＣｔｓにＭＰＥＧ４デコーダやＪＰＥＧデコーダ等によるデータ伸張処理を施し、映像・音声データや制御コードを復元すると、映像・音声データを含む受理データを作成して呈示装置１１２２へ供給し、また制御コードが検出されると制御部Ｃｎｔ１へ伝達する構成とされる。
なお受理手段１１２１は好ましくは、当該サービスがインターネット機構利用で且つＷＡＰ準拠とされる場合に対応させてＷＡＰブラウジング機能を具備する構成とされる。この場合、送出信号ＳＶａ１はＷＳＰレスポンス（ＷＭＬコンテンツ塔載）として受理される。
【００８４】
呈示装置１１２２：
呈示装置１１２２は、受理手段１１２１から供給された受理データを受け、また制御部Ｃｎｔ１の制御下で映像または映像・音声を例えばフラットパネルディスプレイ機器に呈示（画面表示・音声奏鳴）する構成とされる。
また制御部Ｃｎｔ１は受理側装置ＣＬ１全体の動作管理を司るソフトウエア・モジュールで構成されている。
【００８５】
受理側装置ＣＬ１の動作：
図８および図９は、受理側装置ＣＬ１の動作フローチャートである。
図８で、制御部Ｃｎｔ１はスタート時にＧＵＩ機能を作動させ、利用者の手動操作によるサービス開始要求、開始位置、行先、移動速度に係る入力を受付可能な状態として待機する（ステップＳ０１．１．０１）。
利用者により所望サービス開始に係るデータの入力操作があると、要求データ入力手段１０００がこれを受け、要求データｑｄとして取込手段１１１２へ送り、さらに利用者により所望の開始位置、行先、移動速度に係るデータの入力操作があると、それぞれ開始位置データ入力手段１００１、行先データ入力手段１００２、移動速度データ入力手段１００３が受け、開始位置データｓｐｄ、行先データｄｓｔｄ、移動速度データｍｄとして処理して取込手段１１１２へ送る（ステップＳ０１．１．０２）。また上記ステップＳ０１．１．０１とステップＳ０１．１．０２をルーチンＲＮ１とする。
【００８６】
さらに所望の経路に係るデータの入力操作がある場合は（ステップＳ０１．１．０４）、経路データ入力手段１００４が受け、経路データｒｄとして処理して取込手段１１１２へ送る（ステップＳ０１．１．０５）。
【００８７】
取込手段１１１２はステップＳ０１．１．０６で、要求データｑｄ、開始位置データｓｐｄ、行先データｄｓｔｄ、移動速度データｍｄ、経路データｒｄを取込み、信号１１２ａとして編成手段１１１４へ送る。また更新反復時などで上記データの一部の取込みが省略されることもある。
【００８８】
編成手段１１１４は取込手段１１１２から受けたデータを記録し、またｉｄ管理部３から入手した受理側識別データｉｄに記録した前記データを加えた送付データを編成し、信号１１４ａとして送付手段１１１５へ送る（ステップＳ０１．１．０７）。
送付手段１１１５は送付データに暗号化、セキュリティ処理、プロトコル調整等を施し要求信号ＣＬａ１またはＣＬｂ１を編成して、通信インタフェースｉｆｓを介し通信機構ＮＴ経由でサーバである模擬移動処理システムＳＶ１等へ送付する（ステップＳ０１．１．０８）。また上記ステップＳ０１．１．０４乃至ステップＳ０１．１．０８をルーチンＲＮ２とする。
【００８９】
ついで図９で、受理側装置ＣＬ１の受理手段１１２１は模擬移動処理システムＳＶ１等からの送出信号ＳＶａ１またはＳＶｂ１の送出を待機し（ステップＳ０１．１．０９）、送出信号ＳＶａ１またはＳＶｂ１が届くとプロトコル処理等を施して送出データを復元し、受理側識別データｉｄを照合し受理する（ステップＳ０１．１．１０）。
受理手段１１２１はついで送出データに含まれている圧縮映像データにＭＰＥＧ４デコーダやＪＰＥＧデコーダ等によるデータ伸張処理を施し、コンテンツ情報Ｃｔｓである映像・音声データや制御コードを復元する（ステップＳ０１．１．１１）。さらに制御コードは制御部Ｃｎｔ１へ伝達される。また上記ステップＳ０１．１．０９乃至ステップＳ０１．１．１１をルーチンＲＮ３とする。
【００９０】
ついで制御部Ｃｎｔ１は制御コードの伝達があると、ステップＳ０１．１．１２で、目標とする行先へ到着したとの通知であるか否かを確認し、行先へ到着した通知であると、最後の画面表示・音声奏鳴をさせたのち、所定の終了処理を実行してこのサービスセッションを終了させる。一方、行先へ到着した通知でなく、例えば画面制御であれば制御部Ｃｎｔ１は受理手段１１２１と呈示装置１１２２を制御し、受理手段１１２１は復元したコンテンツ情報を含む受理データを作成して呈示装置１１２２へ供給する（ステップＳ０１．１．１３）。
一方、呈示装置１１２２は制御部Ｃｎｔ１の制御および受理手段１１２１から供給された受理データに基づき画面表示・音声奏鳴する（ステップＳ０１．１．１４）。ここで制御コードにより種々の形態の呈示がなされる。また上記ステップＳ０１．１．１３とステップＳ０１．１．１４をルーチンＲＮ４とする。
【００９１】
ついで制御部Ｃｎｔ１は利用者による更新入力操作の有無を確認し、更新入力が発生していなければルーチンＲＮ３へ戻ってこの模擬移動処理を継続進行させる。一方、更新入力の発生があればルーチンＲＮ１へ戻って条件変更しこの模擬移動処理を継続進行させるか、新しいセッションを開始する（ステップＳ０１．１．１５）。
【００９２】
つぎに模擬移動処理システムＳＶ１の動作を説明する。
図５及び図６は、模擬移動処理システムＳＶ１の動作フローチャートである。
図５で、模擬移動処理システムＳＶ１の受取手段１０１は通信機構ＮＴ経由で届いた要求信号ＣＬａ１にプロトコル処理等を施し、送付データを復元する（ステップＳ０１．２．０１）。ついで受理側識別データｉｄを抽出し、セッション継続中であれば記憶されている現在のサービスセッションの登録タームと対照して確認し、新セッションであればこの受理側識別データｉｄを暫定記憶のうえ正当な受理側装置ＣＬ１であるかの認証の委託と識別データを載せたコマンド８０ｂを認証手段８０へ送る（ステップＳ０１．２．０２）。
【００９３】
ついで受取手段１０１はステップＳ０１．２．０３で認証結果を判定し、正当な受理側装置ＣＬ１でなければエラー処理し（ステップＳ０１．２．０４）、正当な受理側装置ＣＬ１であれば新規にサービスセッション登録をする（ステップＳ０１．２．０５）。また現在のサービスセッションは記憶される。なおセッション継続中であれば新規登録に代えて、記憶されている現在のサービスセッションと対照して確認だけが為される。また上記ステップＳ０１．２．０１乃至ステップＳ０１．２．０５をルーチンＲＴ１とする。
【００９４】
受取手段１０１は開始位置データｓｐｄ、行先データｄｓｔｄ、移動速度データｍｄを直近データ管理手段１０２へ送り、また経路データｒｄを位置演算手段１１３へ送る（ステップＳ０１．２．０６）。
【００９５】
直近データ管理手段１０２は開始位置データｓｐｄ、行先データｄｓｔｄ、移動速度データｍｄを記憶手段１０３へ、それぞれ直近位置データｐｄ、直近行先データｄｓｔｄ、直近移動速度データｍｄとして格納し、これを位置演算手段１１３へ通知する（ステップＳ０１．２．０７）。
【００９６】
位置演算手段１１３は記憶手段１０３から直近位置データｐｄを読込み、受取手段１０１から受けた経路データｒｄと記憶手段１０３から読込んだ直近行先データｄｓｔｄにより進行方向を決め、記憶手段１０３から読込んだ直近移動速度データｍｄに基づき所定時間後の移動位置を演算し、この新移動位置によって記憶手段１０３の直近位置データｐｄを更新する（ステップＳ０１．２．０８）。
さらに位置演算手段１１３は更新した直近位置データｐｄを情報選択手段１１４へ出力し、さらに更新した直近位置が目的地である行先に到着した場合には、それを制御部１００へ通知する（ステップＳ０１．２．０９）。
【００９７】
制御部１００は位置演算手段１１３から上記通知があった場合に、行先に到達したことを記憶し、また情報加工手段１１５へ通知する（ステップＳ０１．２．１０）。
【００９８】
ついで図６のステップＳ０１．２．１１へ移り、情報選択手段１１４は直近位置データｐｄを検索位置としてデータベース部ＤＢ１を検索し、適合した映像データＣｔｓを得て情報加工手段１１５へ送る。
【００９９】
情報加工手段１１５はステップＳ０１．２．１２で、情報選択手段１１４から受けた映像データＣｔｓにデータ圧縮を施して圧縮データとし、また制御部１００から受けた通知があるとこれに基づき編成した制御コードを加えて、形式を調整し模擬移動データｓｍｄｔを作成する。データ圧縮処理は例えばライブ映像データではＭＰＥＧ４等が、また静的データではＪＰＥＧ準拠のアルゴリズム等をはじめ、他の任意のアルゴリズムが適用される。ついで情報加工手段１１５は現在登録され記憶されたサービスセッションデータから受理側識別データｉｄを読み込む。
こののち情報加工手段１１５は受理側識別データｉｄと模擬移動データｓｍｄｔから成る送出データを編成して送出手段１１６へ送る（ステップＳ０１．２．１３）。
【０１００】
送出手段１１６は課金決済手段８１へ信号８１ｂを送り課金額の演算処理を委託する（ステップＳ０１．２．１４）。ついで課金額の演算が正常処理されたかを確認し（ステップＳ０１．２．１５）、課金額演算処理が不調ならステップＳ０１．２．０４へ進んでアバンダンし、正常処理されると、ステップＳ０１．２．１６において送出データをプロトコル調整し、通信機構ＮＴを経て該当するクライアント即ち受理側装置ＣＬ１へ送出する。
【０１０１】
制御部１００はここで行先に到達したことが記憶されているかを確認し、行先に到達していればこの模擬移動処理サービスを終了させる。一方、いまだ行先に到達していなければ制御部１００は引続き受取手段１０１へコントロールを移す（ステップＳ０１．２．１７）。
【０１０２】
受取手段１０１は開始位置データｓｐｄ、行先データｄｓｔｄ、移動速度データｍｄ、経路データｒｄいずれかの更新を受けると、各更新データを直近データ管理手段１０２、位置演算手段１１３へ送り（ステップＳ０１．２．１８）、ついでステップＳ０１．２．０７へ戻る。
【０１０３】
上記の実施形態におけるような模擬移動系が実移動系と異なる点は、利用側がスローモーション／ファーストモーションを指定できることにある。すなわち模擬時間ながれを導入できる。移動速度を遅くして更新位置の変化量を少なくした指定がなされると、模擬移動処理システムＳＶ１から提供される移動映像がスローモーションとなる。移動速度を速くして更新位置の変化量を大にした指定がなされると、模擬移動処理システムＳＶ１からファーストモーションの移動映像が提供される。
【０１０４】
また制御部１００は各地点の最新の情報を収集して情報選択手段１１４または／および情報加工手段１１５へ付与すると、情報選択手段１１４または／および情報加工手段１１５は、データベース部ＤＢ１等が保有する映像データの撮像時における映像に対し現在の光景が一部異なるような場合に、当該映像の一部を合成映像（たとえばＣＧ画像）で置き換えて更新し、クライアント側へ送付する構成とすることもできる。たとえば合成映像には橋梁、標識、道路、線路、建物、公園広場、スタジアム、鉄塔などが含まれる。
【０１０５】
このように利用者が所望する任意の移動ルートに対応することができ、利用者が所望する任意の移動速度での模擬移動ができ、また臨場感のある映像を提供できる。以上の模擬移動処理サービスを、模擬移動処理システムＳＶ１が有料で実施して課金決済する。このように本発明はブロードバンド・ネットワーク適用による模擬移動処理サービスに係るビジネスモデルを具現する。
【０１０６】
第２の実施形態の模擬移動処理システムＳＶ２：
本発明に係る第２の実施形態の模擬移動処理システムＳＶ２は位置移動シミュレーションのサーバ側として、利用者が指定入力した所望のスタート点と目的点と所望の移動速度を受けるが、ここでサーバ側が移動経路の自動設定機能を具備し、よって利用者が細かい移動経路を指示しなくとも適合する経路を自動設定するという機能を具備している。また上記適合経路データを記憶する機能を具備する。
【０１０７】
図１０は模擬移動処理システムＳＶ２のブロック構成図である。模擬移動処理システムＳＶ２は通信機構ＮＴを介して前記図７に示した受理側装置ＣＬ１と接続され、その相互関係は前記図１の説明が援用される。
【０１０８】
以下、構成する各手段と請求項との対応を説明する。
データベース部ＤＢ２は請求項７記載の、位置に対応する情報を記録して保有する記録手段の一具現例である。
受取手段２０１と直近データ管理手段２０２と記憶手段２０３は請求項７記載の受入手段の一具現例であり、受理側装置から通信機構経由で送付される移動開始位置を示す開始位置データと、行先指定を示す行先データと、移動速度指定を示す移動速度データとを到着の度に与件の受取データとして受取ると、夫々を直近位置データ、直近行先データ、直近移動速度データとするという、請求項２記載の受入過程を実行する。
【０１０９】
適合経路設定手段２１２は請求項７記載の適合経路設定手段の一具現例であり、前記直近位置データが示す直近位置から発する経路のうちで前記直近行先データが示す直近行先に至る経路を直近適合経路として設定するという請求項２記載の適合経路設定過程を実行する。
【０１１０】
位置演算手段２１３は請求項７記載の位置演算手段の一具現例であり、前記直近適合経路上を、前記直近位置データが示す直近位置から前記直近移動速度データが示す前記直近移動速度で所定の時間だけ模擬移動した際の位置を演算して前記直近位置データを更新するという請求項２記載の位置演算過程を実行する。
【０１１１】
情報選択手段２１４と情報加工手段２１５は請求項７記載の情報選択加工手段の一具現例であり、保有する情報中から前記直近位置データに対応する前記情報を選択し、前記受理側装置へ送出する送出データに加工するという請求項２記載の情報選択加工過程を実行する。
【０１１２】
送出手段２１６は請求項７記載の送出手段の一具現例であり、少なくとも前記送出データを通信機構経由で前記受理側装置へ送出するという請求項２記載の送出過程を実行する。
【０１１３】
課金決済手段８１は請求項１０記載の課金手段の一具現例であり、前記受取データの受取回数または受取量に基づくか、または前記送出データの送出回数または送出量に基づいて前記受理側装置への課金額の演算処理を実行するという、請求項５記載の課金過程を実行する。
【０１１４】
以下、各手段及び各部を説明する。
受取手段２０１は受理側装置ＣＬ１から通信機構ＮＴを介して送付されてくる要求信号ＣＬｂ１を受取り、データ伸張して受取データを復元する動作を実行するコンピュータプログラムを具備して構成される。復元した受取データには受理側識別データｉｄ、要求データｑｄ、開始位置データｓｐｄ、行先データｄｓｔｄ、移動速度データｍｄなどが含まれ、これらは現在のサービスセッションの登録タームとして不図示のメモリに記憶される。
【０１１５】
ついで受理側識別データｉｄを抽出し、セッション継続中であれば記憶されている現在のサービスセッションの登録タームと対照して確認し、セッション継続中でなければ認証手段８０へ認証委託ののち、新規にサービスセッション登録をして、要求データｑｄの内容を確認のうえ、開始位置データｓｐｄ、行先データｄｓｔｄ、移動速度データｍｄを直近データ管理手段２０２へ送り、また開始位置データｓｐｄと行先データｄｓｔｄを適合経路設定手段２１２へ伝達する構成とされる。
なお開始位置データｓｐｄと行先データｄｓｔｄの適合経路設定手段２１２への伝達は上記のような直接伝達以外に、前記メモリに記憶させた登録タームを適合経路設定手段２１２が読み出すことにより伝達するようにしてもよい。
【０１１６】
直近データ管理手段２０２は受取手段２０１から開始位置データｓｐｄ、行先データｄｓｔｄ、移動速度データｍｄを受け、それぞれ直近位置データｐｄ、直近行先データｄｓｔｄ、直近移動速度データｍｄとして記憶手段２０３へ記憶させる動作を実行するコンピュータプログラムを具備して構成される。
【０１１７】
記憶手段２０３は直近データ管理手段２０２から直近行先データｄｓｔｄ、直近位置データｐｄ、直近移動速度データｍｄが送られるとこれらを記憶し、また更新する。さらに位置演算手段２１３からの読出しを受け、また位置演算手段２１３から送られたデータにより直近位置データｐｄを更新する構成とされる。
【０１１８】
適合経路設定手段２１２は、直近位置データｐｄ（最初は受理側装置ＣＬ１が送付した開始位置データｓｐｄとなる）と行先データｄｓｔｄを受取手段２０１から受け、データベース部ＤＢ２から該当地域の地図データｍａｐを取り込み、現在位置から目的とする行先までの適合経路を設定し適合経路データｒｔとして位置演算手段２１３へ出力する構成とされる。さらに該当地図データｍａｐを情報加工手段４１５へ直接送る構成とすることもできる。
ここで適合経路の候補が複数存在する場合は、所定の評価基準（たとえば予想最短時間や最短距離など）に基づき最適な適合経路を設定することができる。
【０１１９】
位置演算手段２１３は適合経路設定手段２１２から送られた適合経路データｒｔを直近適合経路データｒｔとし、また記憶手段２０３から直近位置データｐｄと直近移動速度データｍｄを読み出し、直近適合経路データｒｔが示す直近経路上を、直近位置データｐｄが示す直近位置から直近移動速度データｍｄが示す直近移動速度で所定の時間だけ模擬移動した際の位置を演算して、記憶手段２０３の直近位置データｐｄを更新するとともに、この直近位置データｐｄを情報選択手段２１４へ送るという動作を実行するコンピュータプログラムを具備して構成される。また適合経路データｒｔを情報加工手段２１５へ送る構成とされることもある。
【０１２０】
情報選択手段２１４はＤＢＭＳ機能を利用したデータベース部ＤＢ２の検索を実行するものであり、位置演算手段２１３から送られた直近位置データｐｄに基づきデータベース部ＤＢ２を検索し、適合した映像データＣｔｓを情報加工手段２１５へ送る動作を実行するコンピュータプログラムを具備して構成される。
【０１２１】
情報加工手段２１５は情報選択手段２１４から送られた所定視界方向・所定傾斜視界によるエッセンスとしての映像データＣｔｓ、または／および適合経路設定手段２１２から受けた該当地図データｍａｐ、または／および位置演算手段２１３から受けた適合経路データｒｔにデータ圧縮等の情報加工を施して模擬移動データｓｍｄｔを作成し、ついで現在登録され記憶されたサービスセッションデータから受理側識別データｉｄを読み込み、受理側識別データｉｄと模擬移動データｓｍｄｔから成る送出データを作成して送出手段１１６へ送る動作を実行するコンピュータプログラムを具備して構成される。データ圧縮アルゴリズム等については前記説明を援用する。
【０１２２】
送出手段２１６は情報加工手段２１５から送出データの送付を受けて前掲の構成の送出信号ＳＶｂ１を送出するが、その他の構成と動作は前記送出手段１１６と略同様であり、前記説明を援用する。
【０１２３】
認証手段８０と課金決済手段８１の構成と動作は前記第１の実施形態におけると略同様であり、前記説明を援用する。
【０１２４】
制御部２００はこの模擬移動処理システムＳＶ２全体の動作制御を司り、起動・停止を含めた動作を制御する。各部及び各手段の状態をセンスし、これらに不図示の制御信号を発行する構成とされる。
【０１２５】
模擬移動処理システムＳＶ２に接続される受理側装置ＣＬ１は、前記図７で示したブロック構成のうち経路データ入力手段１００４が省略されるか作動しない構成であり、取込手段１１１２が経路データｒｄを取込まず、また編成手段１１１４および送付手段１１１５が経路データｒｄを扱わず、よって要求信号ＣＬｂ１に経路データｒｄが塔載されない構成となる。また他の構成は前記第１の実施形態で述べた受理側装置ＣＬ１の説明を援用する。さらに動作フローチャートは前記図８のステップＳ０１．１．０４で経路の入力なし（Ａ）が選択され、ステップＳ０１．１．０５が省略される。また他の動作は前記図８および図９で述べた動作説明を援用する。
【０１２６】
つぎに模擬移動処理システムＳＶ２の動作を説明する。
図１１及び図１２は、模擬移動処理システムＳＶ２の動作フローチャートである。なお前記実施形態におけると略同一のステップは前記と同一符号を付けて前記説明を援用する。
図１１で、模擬移動処理システムＳＶ２の受取手段２０１は前記ルーチンＲＴ１を実行し、ついで開始位置データｓｐｄ、行先データｄｓｔｄ、移動速度データｍｄを直近データ管理手段２０２へ送り、また開始位置データｓｐｄと行先データｄｓｔｄを適合経路設定手段２１２へ送る（ステップＳ０２．２．０１）。
【０１２７】
直近データ管理手段２０２は開始位置データｓｐｄ、行先データｄｓｔｄ、移動速度データｍｄを記憶手段２０３へ、それぞれ直近位置データｐｄ、直近行先データｄｓｔｄ、直近移動速度データｍｄとして格納し、これを位置演算手段２１３へ通知する（ステップＳ０２．２．０２）。
【０１２８】
適合経路設定手段２１２は受取手段２０１から受けた直近位置データｐｄ（最初は受理側装置ＣＬ１が送付した開始位置データｓｐｄとなる）と行先データｄｓｔｄに基づき、データベース部ＤＢ２から該当地域の地図データｍａｐを取り込み、目的とする行先までの適合経路を設定し適合経路データｒｔとして位置演算手段２１３へ出力する（ステップＳ０２．２．０３）。
【０１２９】
位置演算手段２１３は記憶手段２０３から直近位置データｐｄを読込み、適合経路設定手段２１２から受けた適合経路データｒｔを直近適合経路データｒｔとし、直近適合経路データｒｔと記憶手段２０３から読込んだ直近行先データｄｓｔｄにより進行方向を決め、記憶手段２０３から読込んだ直近移動速度データｍｄに基づき所定時間後の移動位置を演算し、この新移動位置によって記憶手段２０３の直近位置データｐｄを更新する（ステップＳ０２．２．０４）。
さらに位置演算手段２１３は更新した直近位置データｐｄを情報選択手段２１４へ出力し、適合経路データｒｔを情報加工手段２１５へ送り、さらに更新した直近位置が目的地である行先に到着した場合には、それを制御部２００へ通知する（ステップＳ０２．２．０５）。
【０１３０】
制御部２００は位置演算手段２１３から上記通知があった場合に、行先に到達したことを記憶し、また情報加工手段２１５へ通知する（ステップＳ０２．２．０６）。
【０１３１】
ついで図１２のステップＳ０２．２．０７へ移り、情報選択手段２１４は直近位置データｐｄを検索位置としてデータベース部ＤＢ２を検索し、適合した映像データＣｔｓを得て情報加工手段２１５へ送る。
【０１３２】
情報加工手段２１５はステップＳ０２．２．０８で、適合経路データｒｔと情報選択手段２１４から受けた映像データＣｔｓにデータ圧縮を施して圧縮データとし、また制御部２００から受けた通知があるとこれに基づき編成した制御コードを加えて、形式を調整し模擬移動データｓｍｄｔを作成する。データ圧縮処理のアルゴリズム等は前記実施形態におけると同様である。ついで情報加工手段２１５は現在登録され記憶されたサービスセッションデータから受理側識別データｉｄを読み込む。
こののち情報加工手段２１５は受理側識別データｉｄと模擬移動データｓｍｄｔから成る送出データを編成して送出手段２１６へ送る（ステップＳ０２．２．０９）。
【０１３３】
送出手段２１６は課金決済手段８１へ信号８１ｂを送り課金額の演算処理を委託する（ステップＳ０２．２．１０）。ついで課金額の演算が正常処理されたかを確認し（ステップＳ０２．２．１１）、課金額演算処理が不調ならルーチンＲＴ１のステップＳ０１．２．０４へ進んでアバンダンし、正常処理されると、ステップＳ０２．２．１２において送出データをプロトコル調整し、通信機構ＮＴを経て該当するクライアント即ち受理側装置ＣＬ１へ送出する。
【０１３４】
制御部２００はここで行先に到達したことが記憶されているかを確認し、行先に到達していればこの模擬移動処理サービスを終了させる。一方、いまだ行先に到達していなければ制御部２００は引続き受取手段２０１へコントロールを移す（ステップＳ０２．２．１３）。
【０１３５】
受取手段２０１は開始位置データｓｐｄ、行先データｄｓｔｄ、移動速度データｍｄいずれかの更新を受けると、各更新データを直近データ管理手段２０２、適合経路設定手段２１２へ送り（ステップＳ０２．２．１４）、ついでステップＳ０２．２．０７へ戻る。
【０１３６】
このように本実施形態によれば利用者が移動経路を設定する必要がなく、所望する任意の開始位置と行先だけを指定すれば、それに適合する移動ルートを自動的に設定して模擬移動することができるから、例えば実際に自動車等で目的地まで移動する前に模擬移動でシミュレーションすることで、システムが提案する適合経路を幾つか模擬移動して試し、好みの移動ルートを実際の移動前に決定することができる。
【０１３７】
第３の実施形態の模擬移動処理システムＳＶ３：
本発明に係る第３の実施形態の模擬移動処理システムＳＶ３は位置移動シミュレーションのサーバ側として、利用者が指定入力した所望のスタート点と目的点と所望の移動速度と、さらに所望の視界方向または／および所望の傾斜視界に係るデータを受け、当該指定された視界方向または／および傾斜視界に適合するコンテンツ情報を提供する機能を具備する。
【０１３８】
図１３は模擬移動処理システムＳＶ３のブロック構成図である。模擬移動処理システムＳＶ３は通信機構ＮＴを介して図１６に示される受理側装置ＣＬ２と接続され、その相互関係は前記図１の説明が援用される。
【０１３９】
以下、構成する各手段と請求項との対応を説明する。
データベース部ＤＢ３は、請求項８記載の位置および視界方向に対応する情報を記録して保有する記録手段の一具現例であり、また請求項９記載の位置および視界方向に同時に対応する前記情報を記録して保有するか、または位置および視界方向および前記視界方向の水平または垂直方向からの回動の程度を示す傾斜視界に対応する前記情報を記録して保有する記録手段の一具現例でもある。
【０１４０】
受取手段３０１と直近データ管理手段３０２と記憶手段３０３は請求項８記載の受入手段の一具現例であり、前記受理側装置からさらに視界方向の指定を示す視界方向データを到着の度に与件の受取データとして受取り直近視界方向データとするという、請求項３記載の受入過程を実行する。また請求項９記載の受入手段の一具現例でもあり、前記受理側装置からさらに前記傾斜視界を示す傾斜視界データを到着の度に与件の受取データとして受取り直近傾斜視界データとするという、請求項４記載の受入過程を実行する。
【０１４１】
情報選択手段３１４と情報加工手段３１５は請求項８記載の情報選択加工手段の一具現例であり、前記記録手段が保有する情報中から前記直近位置データおよび前記直近視界方向データに対応する前記情報を選択し、前記受理側装置へ送出する送出データに加工するという、請求項３記載の情報選択過程を実行する。また請求項９記載の情報選択加工手段の一具現例でもあり、保有する情報中から前記直近位置データおよび前記直近視界方向データおよび前記直近傾斜視界データに対応する前記情報を選択し、前記受理側装置へ送出する送出データに加工するか、または保有する情報中から前記直近位置データおよび前記直近視界方向データに対応する前記情報を選択のうえ、前記直近傾斜視界データに基づき前記受理側装置へ送出する送出データに加工するという、請求項４記載の情報選択過程を実行する。
なお上記以外の各手段の前掲の各請求項との対応は前掲の説明を援用して記載を省略する。
【０１４２】
以下、各手段及び各部を説明する。
受取手段３０１は受理側装置ＣＬ２から通信機構ＮＴを介して送付されてくる要求信号ＣＬａ２を受取り、データ伸張して受取データを復元する動作を実行するコンピュータプログラムを具備して構成される。復元した受取データには受理側識別データｉｄ、要求データｑｄ、開始位置データｓｐｄ、行先データｄｓｔｄ、経路データｒｄ、移動速度データｍｄ、視界方向データｄｄ、傾斜視界データａｎｇｄなどが含まれ、これらは現在のサービスセッションの登録タームとして不図示のメモリに記憶される。
【０１４３】
ついで受理側識別データｉｄを抽出し、セッション継続中であれば記憶されている現在のサービスセッションの登録タームと対照して確認し、セッション継続中でなければ認証手段８０へ認証委託ののち、新規にサービスセッション登録をして、要求データｑｄの内容を確認のうえ、開始位置データｓｐｄ、行先データｄｓｔｄ、移動速度データｍｄ、視界方向データｄｄ、傾斜視界データａｎｇｄを直近データ管理手段３０２へ送り、また経路データｒｄを位置演算手段３１３へ送る構成とされる。
【０１４４】
直近データ管理手段３０２は受取手段３０１から開始位置データｓｐｄ、行先データｄｓｔｄ、移動速度データｍｄ、視界方向データｄｄ、傾斜視界データａｎｇｄを受け、それぞれ直近位置データｐｄ、直近行先データｄｓｔｄ、直近移動速度データｍｄ、直近視界方向データｄｄ、直近傾斜視界データａｎｇｄとして記憶手段３０３へ記憶させる動作を実行するコンピュータプログラムを具備して構成される。
【０１４５】
記憶手段３０３は直近データ管理手段３０２から直近行先データｄｓｔｄ、直近位置データｐｄ、直近移動速度データｍｄ、直近視界方向データｄｄ、直近傾斜視界データａｎｇｄが送られるとこれらを記憶し、また更新する。さらに位置演算手段３１３、情報選択手段３１４、情報加工手段３１５からの読出しを受け、また位置演算手段３１３から送られたデータにより直近位置データｐｄを更新する構成とされる。
【０１４６】
位置演算手段３１３は受取手段３０１から送られた経路データｒｄを直近経路データｒｄとし、また記憶手段３０３から直近位置データｐｄと直近移動速度データｍｄを読み出し、直近経路データｒｄが示す直近経路上を、直近位置データｐｄが示す直近位置から直近移動速度データｍｄが示す直近移動速度で所定の時間だけ模擬移動した際の位置を演算して、記憶手段３０３の直近位置データｐｄを更新するとともに、この直近位置データｐｄを情報選択手段３１４へ送るという動作を実行するコンピュータプログラムを具備して構成される。
【０１４７】
情報選択手段３１４はＤＢＭＳ機能を利用したデータベース部ＤＢ３の検索を実行するものであり、位置演算手段３１３から送られた直近位置データｐｄおよび記憶手段３０３から読み出した直近視界方向データｄｄに基づきデータベース部ＤＢ３を検索し、適合した映像データＣｔｓを情報加工手段３１５へ送る動作を実行するコンピュータプログラムを具備して構成される。
【０１４８】
情報加工手段３１５は情報選択手段３１４から送られたエッセンスとしての映像データＣｔｓに、記憶手段３０３から読み出した直近傾斜視界データａｎｇｄに基づく座標回動処理を施して指定視界方向・指定傾斜視界のエッセンスとし、これにデータ圧縮等の情報加工を施して模擬移動データｓｍｄｔを作成し、ついで現在登録され記憶されたサービスセッションデータから受理側識別データｉｄを読み込み、受理側識別データｉｄと模擬移動データｓｍｄｔから成る送出データを作成して送出手段３１６へ送る動作を実行するコンピュータプログラムを具備して構成される。データ圧縮アルゴリズム等については前記説明を援用する。模擬移動データｓｍｄｔには図２の項目（ｄ）に示されるように指定視界方向・指定傾斜視界の映像データＣｔｓを塔載する。
【０１４９】
送出手段３１６は情報加工手段３１５から送出データの送付を受けて前掲の構成の送出信号ＳＶａ２を送出するが、その他の構成と動作は前記送出手段１１６と略同様であり、前記説明を援用する。
【０１５０】
認証手段８０と課金決済手段８１の構成と動作は前記第１の実施形態におけると略同様であり、前記説明を援用する。
【０１５１】
制御部３００はこの模擬移動処理システムＳＶ３全体の動作制御を司り、起動・停止を含めた動作を制御する。各部及び各手段の状態をセンスし、これらに不図示の制御信号を発行する構成とされる。
【０１５２】
図１６は、模擬移動処理システムＳＶ３等に接続される受理側装置ＣＬ２のブロック構成図である。なお前記受理側装置ＣＬ１と同一の部分には同一の符号を付けて説明を省略する。
受理側装置ＣＬ２は前記要求データ入力手段１０００、開始位置データ入力手段１００１、行先データ入力手段１００２、移動速度データ入力手段１００３、所望の経路の入力を経路データｒｄとして処理する経路データ入力手段１００４、所望の視界方向の入力を視界方向データｄｄとして処理する視界方向データ入力手段１００５、所望の視界傾斜度の入力を傾斜視界データａｎｇｄとして処理する傾斜視界データ入力手段１００６の、利用者の操作によって発生する入力のデータ処理に関与する各手段（まとめて発生グループと呼ぶ）に加え、取込手段２１１２および編成手段２１１４および送付手段２１１５、ｉｄ管理部３、受理手段２１２１および呈示装置２１２２、制御部Ｃｎｔ２、通信インタフェースｉｆｃ、電源部Ｐｗを具備する。
【０１５３】
制御部Ｃｎｔ２、取込手段２１１２、編成手段２１１４、送付手段２１１５、ｉｄ管理部３、受理手段２１２１、および上記発生グループの各手段の一部分と呈示装置２１２２の一部分は前記演算処理装置ＣＰＵによって読取り実行可能なコンピュータプログラム（ソフトウエア・モジュール）として具現され、ＲＯＭまたは／およびハード磁気ディスク装置等に格納される。
【０１５４】
要求データ入力手段１０００、開始位置データ入力手段１００１、行先データ入力手段１００２、移動速度データ入力手段１００３、経路データ入力手段１００４は前記実施形態におけると同様である。
【０１５５】
視界方向データ入力手段１００５は、コンテンツ情報Ｃｔｓが当該地点における映像（風景や光景）であるとき、利用者が所望する視界方向を視界方向データｄｄとして入力する手段であり、利用者が操作容易なボタンやキー、パッドなど一般的な手動入力機器と関連ソフトウエア・モジュールにより具現されている。これら視界方向データｄｄは取込手段２１１２へ入力される。
【０１５６】
傾斜視界データ入力手段１００６は、コンテンツ情報Ｃｔｓが当該地点における映像（風景や光景）であるとき、前記の視界方向データｄｄに加えて利用者が所望する、視界領域を水平方向または垂直方向から所望の角度だけ回動・傾斜させることを指定する傾斜視界データａｎｇｄとして入力する手段であり、例えば利用者が所望の傾斜角度を容易な入力操作で設定できるボタンやキー、パッドなど一般的な入力機器により構成されている。傾斜視界データａｎｇｄは取込手段２１１２へ入力される。傾斜視界データａｎｇｄによって所望の傾斜を指定することにより、コンテンツ情報を所望の方向に傾斜させた画面を表示させることが可能とされる。
【０１５７】
取込手段２１１２は要求データｑｄ、開始位置データｓｐｄ、行先データｄｓｔｄ、移動方向データｍｄ、経路データｒｄ、視界方向データｄｄ、傾斜視界データａｎｇｄの取込が可能に構成される。これらを順不同に取り込み、信号２１２ａを作成して編成手段２１１４へ送る構成とされる。
【０１５８】
編成手段２１１４は取込手段２１１２から送られた信号２１２ａに載ったデータをフラッシュメモリなどの不図示の記憶手段に記録し、またｉｄ管理部３を参照して得た識別データｉｄに、記録した前記データを加えた要求データを編成し、信号２１４ａとして送付手段２１１５へ送る構成とされる。
【０１５９】
ｉｄ管理部３：
ｉｄ管理部３は、登録した利用者等の識別データを受理側識別データｉｄとして管理し、編成手段２１１４からの指示に基づき受理側識別データｉｄを編成手段２１１４へ入力する構成とされる。
【０１６０】
送付手段２１１５は編成手段２１１４から送られた信号２１４ａに基づき、暗号化・セキュリティ処理およびプロトコル調整を施して要求信号ＣＬａ２またはＣＬｂ２を作成し、通信インタフェースｉｆｃ経由で通信機構ＮＴへ送付する。通信機構ＮＴはこれを模擬移動処理システムＳＶ３等へ伝送する構成とされる。
【０１６１】
要求信号ＣＬａ２には受理側識別データｉｄ、要求データｑｄ、開始位置データｓｐｄ、行先データｄｓｔｄ、移動速度データｍｄと、さらにオプションデータｏｐｄとして経路データｒｄ、視界方向データｄｄ、傾斜視界データａｎｇｄが塔載される。
要求信号ＣＬｂ２には受理側識別データｉｄ、要求データｑｄ、開始位置データｓｐｄ、行先データｄｓｔｄ、移動速度データｍｄと、さらにオプションデータｏｐｄとして視界方向データｄｄ、傾斜視界データａｎｇｄが塔載される。
【０１６２】
受理手段２１２１は模擬移動処理システムＳＶ３等から通信機構ＮＴによって伝送された送出信号ＳＶａ２またはＳＶｂ２を通信インタフェースｉｆｃ経由で受ける。
受理手段２１２１は送出信号ＳＶａ２またはＳＶｂ２にプロトコル処理等を施して送出データを復元し、受理側識別データｉｄを照合して受理する。ついで送出データに含まれている模擬移動データｓｍｄｔの映像データＣｔｓにＭＰＥＧ４デコーダやＪＰＥＧデコーダ等によるデータ伸張処理を施し、映像・音声データや制御コードを復元すると、映像・音声データを含む受理データを作成して呈示装置２１２２へ供給し、また制御コードが検出されると制御部Ｃｎｔ２へ伝達する構成とされる。
【０１６３】
呈示装置２１２２は、受理手段２１２１から供給された受理データを受け、また制御部Ｃｎｔ２の制御下で映像または映像・音声を例えばフラットパネルディスプレイ機器に呈示（画面表示・音声奏鳴）する構成とされる。
また制御部Ｃｎｔ２は受理側装置ＣＬ２全体の動作管理を司るソフトウエア・モジュールで構成されている。
【０１６４】
受理側装置ＣＬ２の動作：
図１７は受理側装置ＣＬ２の動作フローチャートである。
同図で、制御部Ｃｎｔ２と発生グループは前記ルーチンＲＮ１を実行し、さらに所望の視界方向に係るデータまたは／および所望の傾斜視界に係るデータの入力操作を待機し（ステップＳ０２．１．０１）、これらの入力操作があると視界方向データ入力手段１００５と傾斜視界データ入力手段１００６が受け、それぞれ視界方向データｄｄ、傾斜視界データａｎｇｄとして処理して取込手段２１１２へ送る（ステップＳ０２．１．０２）。
【０１６５】
ついで取込手段２１１２、編成手段２１１４、送付手段２１１５は前記ルーチンＲＮ２を実行し、ついで受理手段２１２１は前記ルーチンＲＮ３を実行する。
【０１６６】
制御部Ｃｎｔ１は制御コードの伝達があると、ステップＳ０２．１．０３で、目標とする行先へ到着したとの通知であるか否かを確認し、行先へ到着した通知であると、最後の画面表示・音声奏鳴をさせたのち、所定の終了処理を実行してこのサービスセッションを終了させる。一方、行先へ到着した通知でなく、例えば画面制御であれば制御部Ｃｎｔ２は受理手段２１２１と呈示装置２１２２を制御し、前記ルーチンＲＮ４を実行させる。
【０１６７】
ついで制御部Ｃｎｔ２は利用者による移動速度または／および視界方向または／および傾斜視界の更新入力操作の有無を確認し（ステップＳ０２．１．０４）、更新入力が発生していなければルーチンＲＮ３へ戻ってこの模擬移動処理を継続進行させる。一方、更新入力の発生があれば移動速度データ入力手段１００３、視界方向データ入力手段１００５、傾斜視界データ入力手段１００６を制御して処理させる。これらはそれぞれ更新された移動速度データｍｄ、視界方向データｄｄ、傾斜視界データａｎｇｄとして取込手段２１１２へ送られ（ステップＳ０２．１．０５）、ついでルーチンＲＮ２のステップＳ０１．１．０６へ戻ってこの模擬移動処理を継続進行させる。
【０１６８】
つぎに模擬移動処理システムＳＶ３の動作を説明する。
図１４及び図１５は、模擬移動処理システムＳＶ３の動作フローチャートである。なお前記実施形態におけると略同一のステップは前記と同一符号を付けて前記説明を援用する。
図１４で、模擬移動処理システムＳＶ３の受取手段３０１は前記ルーチンＲＴ１を実行し、ついで開始位置データｓｐｄ、行先データｄｓｔｄ、移動速度データｍｄ、視界方向データｄｄ、傾斜視界データａｎｇｄを直近データ管理手段４０２へ送り、また経路データｒｄを位置演算手段３１３へ送る（ステップＳ０３．２．０１）。
【０１６９】
直近データ管理手段３０２は開始位置データｓｐｄ、行先データｄｓｔｄ、移動速度データｍｄ、視界方向データｄｄ、傾斜視界データａｎｇｄを記憶手段３０３へ、それぞれ直近位置データｐｄ、直近行先データｄｓｔｄ、直近移動速度データｍｄ、直近視界方向データｄｄ、直近傾斜視界データａｎｇｄとして格納し、これを位置演算手段３１３へ通知する（ステップＳ０３．２．０２）。
【０１７０】
位置演算手段３１３は記憶手段３０３から直近位置データｐｄを読込み、受取手段３０１から受けた経路データｒｄと記憶手段３０３から読込んだ直近行先データｄｓｔｄにより進行方向を決め、記憶手段３０３から読込んだ直近移動速度データｍｄに基づき所定時間後の移動位置を演算し、この新移動位置によって記憶手段３０３の直近位置データｐｄを更新する（ステップＳ０３．２．０３）。
さらに位置演算手段３１３は更新した直近位置データｐｄを情報選択手段３１４へ出力し、さらに更新した直近位置が目的地である行先に到着した場合には、それを制御部３００へ通知する（ステップＳ０３．２．０４）。
【０１７１】
制御部３００は位置演算手段３１３から上記通知があった場合に、行先に到達したことを記憶し、また情報加工手段３１５へ通知する（ステップＳ０３．２．０５）。
【０１７２】
情報選択手段３１４は位置演算手段３１３から受けた直近位置データｐｄと記憶手段３０３から取出した直近視界方向データｄｄに基づきデータベース部ＤＢ３を検索し、適合した映像データＣｔｓを得て情報加工手段３１５へ送る（ステップＳ０３．２．０６）。
【０１７３】
情報加工手段３１５はついで図１５のステップＳ０３．２．０７で、情報選択手段３１４から受けた映像データＣｔｓにつき、記憶手段３０３から読み出した直近傾斜視界データａｎｇｄに基づく座標回動処理を施して指定視界方向・指定傾斜視界の映像データとし、これにデータ圧縮等の情報加工を施して圧縮データとし、また制御部３００から受けた通知があるとこれに基づき編成した制御コード（または通知画面データ）を加えて、形式を調整し模擬移動データｓｍｄｔを作成する。ついで情報加工手段３１５は現在登録され記憶されたサービスセッションデータから受理側識別データｉｄを読み込む。こののち情報加工手段３１５は受理側識別データｉｄと模擬移動データｓｍｄｔから成る送出データを編成して送出手段３１６へ送る（ステップＳ０３．２．０８）。
【０１７４】
送出手段３１６は課金決済手段８１へ信号８１ｂを送り課金額の演算処理を委託する（ステップＳ０３．２．０９）。ついで課金額の演算が正常処理されたかを確認し（ステップＳ０３．２．１０）、課金額演算処理が不調ならルーチンＲＴ１のステップＳ０１．２．０４へ進んでアバンダンし、正常処理されると、ステップＳ０３．２．１１において送出データをプロトコル調整して前掲の送出信号ＳＶａ２とし、通信機構ＮＴを経て該当するクライアント即ち受理側装置ＣＬ２へ送出する。
【０１７５】
制御部３００はここで行先に到達したことが記憶されているかを確認し、行先に到達していればこの模擬移動処理サービスを終了させる。一方、いまだ行先に到達していなければ制御部３００は引続き受取手段３０１へコントロールを移す（ステップＳ０３．２．１２）。
【０１７６】
受取手段３０１は開始位置データｓｐｄ、行先データｄｓｔｄ、移動速度データｍｄ、経路データｒｄ、視界方向データｄｄ、傾斜視界データａｎｇｄいずれかの更新を受けると、各更新データを直近データ管理手段３０２、位置演算手段３１３へ送り（ステップＳ０３．２．１３）、ついでステップＳ０３．２．０２へ戻る。
【０１７７】
このように第３の実施形態によれば、利用者が受理側装置から所望する任意の開始位置、行先、経路、移動速度を指定すれば、それに適合する模擬移動サービスを提供することができる。しかも利用者が任意のタイミングで指定入力する任意の視界方向または／および任意の傾斜視界に対応して該当する送出データを受理側装置へ送出することができる。
【０１７８】
第４の実施形態の模擬移動処理システムＳＶ４：
本発明に係る第４の実施形態の模擬移動処理システムＳＶ４は位置移動シミュレーションのサーバ側として、利用者が指定入力した所望のスタート点と目的点と所望の移動速度と、さらに所望の視界方向または／および所望の傾斜視界に係るデータを受けるが、ここでサーバ側が移動経路の自動設定機能を具備し、よって利用者が細かい移動経路を指示しなくとも適合する経路を自動設定するという機能を具備している。また上記適合経路データを記憶する機能を具備する。
【０１７９】
図１８は模擬移動処理システムＳＶ４のブロック構成図である。模擬移動処理システムＳＶ４は通信機構ＮＴを介して前記図１６に示した受理側装置ＣＬ２と接続され、その相互関係は前記図１の説明が援用される。
【０１８０】
以下、構成する各手段と請求項との対応を説明する。
データベース部ＤＢ４は、請求項８記載の位置および視界方向に対応する情報を記録して保有する記録手段の一具現例であり、また請求項９記載の位置および視界方向に同時に対応する前記情報を記録して保有するか、または位置および視界方向および前記視界方向の水平または垂直方向からの回動の程度を示す傾斜視界に対応する前記情報を記録して保有する記録手段の一具現例でもある。
【０１８１】
受取手段４０１と直近データ管理手段４０２と記憶手段４０３は請求項８記載の受入手段の一具現例であり、前記受理側装置からさらに視界方向の指定を示す視界方向データを到着の度に与件の受取データとして受取り直近視界方向データとするという、請求項３記載の受入過程を実行する。また請求項９記載の受入手段の一具現例でもあり、前記受理側装置からさらに前記傾斜視界を示す傾斜視界データを到着の度に与件の受取データとして受取り直近傾斜視界データとするという、請求項４記載の受入過程を実行する。
【０１８２】
情報選択手段４１４と情報加工手段４１５は請求項８記載の情報選択加工手段の一具現例であり、前記記録手段が保有する情報中から前記直近位置データおよび前記直近視界方向データに対応する前記情報を選択し、前記受理側装置へ送出する送出データに加工するという、請求項３記載の情報選択過程を実行する。また請求項９記載の情報選択加工手段の一具現例でもあり、保有する情報中から前記直近位置データおよび前記直近視界方向データおよび前記直近傾斜視界データに対応する前記情報を選択し、前記受理側装置へ送出する送出データに加工するか、または保有する情報中から前記直近位置データおよび前記直近視界方向データに対応する前記情報を選択のうえ、前記直近傾斜視界データに基づき前記受理側装置へ送出する送出データに加工するという、請求項４記載の情報選択過程を実行する。
なお上記以外の各手段の前掲の各請求項との対応は前掲の説明を援用して記載を省略する。
【０１８３】
以下、各手段及び各部を説明する。
受取手段４０１は受理側装置ＣＬ２から通信機構ＮＴを介して送付されてくる要求信号ＣＬｂ２を受取り、データ伸張して受取データを復元する動作を実行するコンピュータプログラムを具備して構成される。復元した受取データには受理側識別データｉｄ、要求データｑｄ、開始位置データｓｐｄ、行先データｄｓｔｄ、移動速度データｍｄ、視界方向データｄｄ、傾斜視界データａｎｇｄなどが含まれ、これらは現在のサービスセッションの登録タームとして不図示のメモリに記憶される。
【０１８４】
ついで受理側識別データｉｄを抽出し、セッション継続中であれば記憶されている現在のサービスセッションの登録タームと対照して確認し、セッション継続中でなければ認証手段８０へ認証委託ののち、新規にサービスセッション登録をして、要求データｑｄの内容を確認のうえ、開始位置データｓｐｄ、行先データｄｓｔｄ、移動速度データｍｄ、視界方向データｄｄ、傾斜視界データａｎｇｄを直近データ管理手段４０２へ送り、また開始位置データｓｐｄと行先データｄｓｔｄを適合経路設定手段４１２へ伝達する構成とされる。
なお開始位置データｓｐｄと行先データｄｓｔｄの適合経路設定手段４１２への伝達は上記のような直接伝達以外に、前記メモリに記憶させた登録タームを適合経路設定手段４１２が読み出すことにより伝達するようにしてもよい。
【０１８５】
直近データ管理手段４０２は受取手段４０１から開始位置データｓｐｄ、行先データｄｓｔｄ、移動速度データｍｄ、視界方向データｄｄ、傾斜視界データａｎｇｄを受け、それぞれ直近位置データｐｄ、直近行先データｄｓｔｄ、直近移動速度データｍｄ、直近視界方向データｄｄ、直近傾斜視界データａｎｇｄとして記憶手段４０３へ記憶させる動作を実行するコンピュータプログラムを具備して構成される。
【０１８６】
記憶手段４０３は直近データ管理手段４０２から直近行先データｄｓｔｄ、直近位置データｐｄ、直近移動速度データｍｄ、直近視界方向データｄｄ、直近傾斜視界データａｎｇｄが送られるとこれらを記憶し、また更新する。さらに位置演算手段４１３、情報選択手段４１４、情報加工手段４１５からの読出しを受け、また位置演算手段４１３から送られたデータにより直近位置データｐｄを更新する構成とされる。
【０１８７】
適合経路設定手段４１２は、直近位置データｐｄ（最初は受理側装置ＣＬ２が送付した開始位置データｓｐｄとなる）と行先データｄｓｔｄを受取手段４０１から受け、データベース部ＤＢ４から該当地域の地図データｍａｐを取り込み、現在位置から目的とする行先までの適合経路を設定し適合経路データｒｔとして位置演算手段４１３へ出力する構成とされる。さらに該当地図データｍａｐを情報加工手段４１５へ直接送る構成とすることもできる。
ここで適合経路の候補が複数存在する場合は、所定の評価基準（たとえば予想最短時間や最短距離など）に基づき最適な適合経路を設定することができる。
【０１８８】
位置演算手段４１３は適合経路設定手段４１２から送られた適合経路データｒｔを直近適合経路データｒｔとし、また記憶手段４０３から直近位置データｐｄと直近移動速度データｍｄを読み出し、直近適合経路データｒｔが示す直近経路上を、直近位置データｐｄが示す直近位置から直近移動速度データｍｄが示す直近移動速度で所定の時間だけ模擬移動した際の位置を演算して、記憶手段４０３の直近位置データｐｄを更新するとともに、この直近位置データｐｄを情報選択手段４１４へ送るという動作を実行するコンピュータプログラムを具備して構成される。また適合経路データｒｔを情報加工手段２１５へ送る構成とされることもある。
【０１８９】
情報選択手段４１４はＤＢＭＳ機能を利用したデータベース部ＤＢ４の検索を実行するものであり、位置演算手段４１３から送られた直近位置データｐｄおよび記憶手段４０３から読み出した直近視界方向データｄｄに基づきデータベース部ＤＢ４を検索し、適合した映像データＣｔｓを情報加工手段４１５へ送る動作を実行するコンピュータプログラムを具備して構成される。
【０１９０】
情報加工手段４１５は情報選択手段４１４から送られたエッセンスとしての映像データＣｔｓに、記憶手段４０３から読み出した直近傾斜視界データａｎｇｄに基づく座標回動処理を施して指定視界方向・指定傾斜視界のエッセンスとし、これと適合経路設定手段４１２から受けた該当地図データｍａｐまたは／および位置演算手段４１３から受けた適合経路データｒｔとにデータ圧縮等の情報加工を施して模擬移動データｓｍｄｔを作成し、ついで現在登録され記憶されたサービスセッションデータから受理側識別データｉｄを読み込み、受理側識別データｉｄと模擬移動データｓｍｄｔから成る送出データを作成して送出手段４１６へ送る動作を実行するコンピュータプログラムを具備して構成される。データ圧縮アルゴリズム等については前記説明を援用する。模擬移動データｓｍｄｔには図２の項目（ｄ）に示されるように指定視界方向・指定傾斜視界の映像データＣｔｓと、該当地図データｍａｐまたは／および適合経路データｒｔを塔載する。
【０１９１】
送出手段４１６は情報加工手段４１５から送出データの送付を受けて前掲の構成の送出信号ＳＶｂ２を送出するが、その他の構成と動作は前記送出手段１１６と略同様であり、前記説明を援用する。
【０１９２】
認証手段８０と課金決済手段８１の構成と動作は前記第１の実施形態におけると略同様であり、前記説明を援用する。
【０１９３】
制御部４００はこの模擬移動処理システムＳＶ４全体の動作制御を司り、起動・停止を含めた動作を制御する。各部及び各手段の状態をセンスし、これらに不図示の制御信号を発行する構成とされる。
【０１９４】
模擬移動処理システムＳＶ４に接続される受理側装置ＣＬ２は、前記図１６で示したブロック構成のうち経路データ入力手段１００４が省略されるか作動しない構成であり、取込手段２１１２が経路データｒｄを取込まず、また編成手段２１１４および送付手段２１１５が経路データｒｄを扱わず、よって要求信号ＣＬｂ２に経路データｒｄが塔載されない構成となる。また他の構成は前記第３の実施形態で述べた受理側装置ＣＬ３の説明を援用する。さらに動作フローチャートは図１７のルーチンＲＮ２内のステップＳ０１．１．０４で経路の入力なし（Ａ）が選択され、ステップＳ０１．１．０５が省略される。また他の動作は前記図１７で述べた動作説明を援用する。
【０１９５】
つぎに模擬移動処理システムＳＶ４の動作を説明する。
図１９及び図２０は、模擬移動処理システムＳＶ４の動作フローチャートである。なお前記実施形態におけると略同一のステップは前記と同一符号を付けて前記説明を援用する。
図１９で、模擬移動処理システムＳＶ４の受取手段４０１は前記ルーチンＲＴ１を実行し、ついで開始位置データｓｐｄ、行先データｄｓｔｄ、移動速度データｍｄ、視界方向データｄｄ、傾斜視界データａｎｇｄを直近データ管理手段４０２へ送り、また開始位置データｓｐｄと行先データｄｓｔｄを適合経路設定手段４１２へ送る（ステップＳ０４．２．０１）。
【０１９６】
直近データ管理手段４０２は開始位置データｓｐｄ、行先データｄｓｔｄ、移動速度データｍｄ、視界方向データｄｄ、傾斜視界データａｎｇｄを記憶手段４０３へ、それぞれ直近位置データｐｄ、直近行先データｄｓｔｄ、直近移動速度データｍｄ、直近視界方向データｄｄ、直近傾斜視界データａｎｇｄとして格納し、これを位置演算手段４１３へ通知する（ステップＳ０４．２．０２）。
【０１９７】
適合経路設定手段４１２は受取手段４０１から受けた直近位置データｐｄ（最初は受理側装置ＣＬ２が送付した開始位置データｓｐｄとなる）と行先データｄｓｔｄに基づき、データベース部ＤＢ４から該当地域の地図データｍａｐを取り込み、目的とする行先までの適合経路を設定し、適合経路データｒｔとして位置演算手段４１３へ出力する（ステップＳ０４．２．０３）。また該当地図データｍａｐを情報加工手段４１５へ出力することもある。
【０１９８】
位置演算手段４１３は記憶手段４０３から直近位置データｐｄを読込み、適合経路設定手段４１２から受けた適合経路データｒｔと記憶手段４０３から読込んだ直近行先データｄｓｔｄにより進行方向を決め、記憶手段４０３から読込んだ直近移動速度データｍｄに基づき所定時間後の移動位置を演算し、この新移動位置によって記憶手段４０３の直近位置データｐｄを更新する（ステップＳ０４．２．０４）。
さらに位置演算手段４１３は更新した直近位置データｐｄを情報選択手段４１４へ出力し、適合経路データｒｔを情報加工手段４１５へ送り、さらに更新した直近位置が目的地である行先に到着した場合には、それを制御部４００へ通知する（ステップＳ０４．２．０５）。
【０１９９】
制御部４００は位置演算手段４１３から上記通知があった場合に、行先に到達したことを記憶し、また情報加工手段４１５へ通知する（ステップＳ０４．２．０６）。
【０２００】
ついで図２０のステップＳ０４．２．０７へ移り、情報選択手段４１４は直近位置データｐｄと記憶手段４０３から取出した直近視界方向データｄｄに基づきデータベース部ＤＢ４を検索し、適合した映像データＣｔｓを得て情報加工手段４１５へ送る。
【０２０１】
情報加工手段４１５はステップＳ０４．２．０８で、情報選択手段４１４から受けた映像データＣｔｓにつき、記憶手段４０３から読み出した直近傾斜視界データａｎｇｄに基づく座標回動処理を施して指定視界方向・指定傾斜視界の映像データとし、これと適合経路設定手段４１２から受けた該当地図データｍａｐまたは／および位置演算手段４１３から受けた適合経路データｒｔとにデータ圧縮等の情報加工を施して圧縮データとし、また制御部４００から受けた通知があるとこれに基づき編成した制御コード（または通知画面データ）を加えて、形式を調整し模擬移動データｓｍｄｔを作成する。ついで情報加工手段４１５は現在登録され記憶されたサービスセッションデータから受理側識別データｉｄを読み込む。こののち情報加工手段４１５は受理側識別データｉｄと模擬移動データｓｍｄｔから成る送出データを編成して送出手段４１６へ送る（ステップＳ０４．２．０９）。
【０２０２】
送出手段４１６は課金決済手段８１へ信号８１ｂを送り課金額の演算処理を委託する（ステップＳ０４．２．１０）。ついで課金額の演算が正常処理されたかを確認し（ステップＳ０４．２．１１）、課金額演算処理が不調ならルーチンＲＴ１のステップＳ０１．２．０４へ進んでアバンダンし、正常処理されると、ステップＳ０４．２．１２において送出データをプロトコル調整して前掲の送出信号ＳＶｂ２とし、通信機構ＮＴを経て該当するクライアント即ち受理側装置ＣＬ１へ送出する。
【０２０３】
制御部４００はここで行先に到達したことが記憶されているかを確認し、行先に到達していればこの模擬移動処理サービスを終了させる。一方、いまだ行先に到達していなければ制御部４００は引続き受取手段４０１へコントロールを移す（ステップＳ０４．２．１３）。
【０２０４】
受取手段４０１は開始位置データｓｐｄ、行先データｄｓｔｄ、移動速度データｍｄ、視界方向データｄｄ、傾斜視界データａｎｇｄいずれかの更新を受けると、各更新データを直近データ管理手段４０２、適合経路設定手段４１２へ送り（ステップＳ０４．２．１４）、ついでステップＳ０４．２．０２へ戻る。
【０２０５】
このように本実施形態によれば利用者に移動経路を設定させる必要がなく、利用者に所望する任意の開始位置と行先だけを指定させれば、それに適合する移動ルートを自動的に設定して模擬移動サービスを提供することができる。しかも利用者が任意のタイミングで指定入力する任意の視界方向または／および任意の傾斜視界に対応して該当する送出データを受理側装置へ送出することができる。
【０２０６】
ところで前記第３および第４の実施形態の説明では、データベースＤＢ３やＤＢ４のコンテンツ情報Ｃｔｓがその属性として位置情報ｐと視界方向情報ｄを有し、情報選択手段３１４や４１４が位置情報ｐと視界方向情報ｄに基づきコンテンツ情報Ｃｔｓを検索し、また情報加工手段３１５や４１５がこのコンテンツ情報Ｃｔｓに対し傾斜視界情報ａｎｇに基づいて座標回動等のデータ処理により傾斜視界の映像データを得るものであったが、これに限定されることなく、データベースＤＢ３やＤＢ４のコンテンツ情報Ｃｔｓにその属性として位置情報ｐと視界方向情報ｄと傾斜視界情報ａｎｇを付与するようにし、情報選択手段３１４や４１４が位置情報ｐと視界方向情報ｄと傾斜視界情報ａｎｇに基づきコンテンツ情報Ｃｔｓを検索して傾斜視界の映像データを得る構成とすることもできる。この場合、情報加工手段３１５や４１５は傾斜視界の映像データにとりわけ有効な圧縮処理を実行する。
【０２０７】
また上記各実施形態で、行先が最初に指定されない構成も可能である。この構成によればシミュレーション開始時にクライアント側（受理側装置ＣＬ１等）からは開始位置と、当面の移動方向と、当面の移動速度が最初に送付されてくる。行先が送付されてくる必要はない。シミュレーション開始後、サーバ側（模擬移動処理システムＳＶ１等）は直近位置と直近移動方向と直近移動速度に基づき所定の時間後の模擬移動位置を演算し、これで以って直近位置データを更新する。ついで利用者が任意の時間に発生させた移動方向および移動速度の更新データがクライアント側から送付されてくる。全体の経路が与件として示されないから、移動方向の送付および移動速度の送付をその都度、受ける必要がある。クライアント側から移動方向の送付および移動速度の送付を受けると、受取った移動方向および移動速度および記憶手段に記憶されている直近位置に基づき最新位置を演算して、当該最新位置に適合したコンテンツ情報を編成し、このクライアントへ送出する。
【０２０８】
本発明の利点：
前記のように本発明の構成によって、模擬移動処理システムＳＶ１等は利用者が所望する任意の移動ルートに対応することができ、また適合する経路を自動設定でき、また利用者が所望する任意の移動速度での模擬移動ができ、さらに利用者が自在に指定する任意の異なる視界方向または／および傾斜視界の映像を提供できる。また提供する映像はその時点でのリアルタイム映像ではないが実際に撮影された映像であるから臨場感があり、分かり易いという利点がある。
【０２０９】
模擬移動処理システムＳＶ１等はとりわけ利用者が指定した移動速度データｍｄに基づいて模擬移動処理を実行するから、ファーストモーションやスローモーションを可能にする。しかも上記のように経路データを記憶しており、さらに開始位置の更新入力の受取りができるから、利用者が或る経路移動について先ず通常の速度で模擬移動し、つぎにリピートとしてファーストモーションを所望する場合には、開始位置と移動速度を更新入力するのみで経路を再度入力する必要がなく、よって至便である。
【０２１０】
またサービスセッション実行中に任意の所望地点が任意の時間に変更入力され送付されてくると、受取ったその時点で所望地点からシミュレーションを再開できるから、利用者に別の地点に瞬間移動したと認識させることができる。
【０２１１】
このように位置情報と視界方向情報および映像情報（撮影映像や合成映像）を関連付けた、模擬移動処理システムによる受理側装置間のネットワーク経由のインタラクティブな処理によって効果的な模擬移動サービスが為され、よって有効な模擬移動サービスビジネスが可能になる。
【０２１２】
【発明の効果】
以上説明したように本発明の請求項１の模擬移動処理方法および請求項６の模擬移動処理システムは、受理側装置から受取った開始位置データと、行先データと、経路データに基づく模擬移動に係る送出データを送出する構成であるから、既定の移動ルートへ対応するのみならず、利用者が指定する任意の移動ルートに対応することができる。
また受理側装置から受取った移動速度データに基づく模擬移動に係る送出データが送出される。よってスローモーションやファーストモーションなど利用者が指定する任意の模擬移動の速さに対応できる。
また更新された上記各データを受取ると更新された模擬移動に係る送出データを送出する構成とするから、利用者が指定を更新した際にも当該更新へ対応することができる。
【０２１３】
請求項２の模擬移動処理方法および請求項７の模擬移動処理システムは、受理側装置から受取った開始位置データと行先データに基づき適合経路を設定し、この適合経路に沿った模擬移動に係る送出データを送出する構成であるから、利用者に移動経路の指定をさせる必要がなく、しかも適合する移動経路に対応することができる。
【０２１４】
請求項３の模擬移動処理方法および請求項８の模擬移動処理システムは、直近位置データおよび直近視界方向データに基づき情報を選択し、選択した情報を送出データに載せて送出す構成であるから、利用者が指定する任意の視界方向に対応する情報を送出することができる。
【０２１５】
請求項４の模擬移動処理方法および請求項９の模擬移動処理システムは、直近位置データおよび直近視界方向データおよび直近傾斜視界データに基づき選択した情報を送出データに載せて送出するか、または直近位置データおよび直近視界方向データに基づき選択した情報を直近傾斜視界データに基づき送出データに加工して送出する。よって利用者が指定する任意の傾斜視界に対応させた送出データを送出することができる。
【０２１６】
請求項５の模擬移動処理方法および請求項１０の模擬移動処理システムは、受取データの受取回数または受取量か、または送出データの送出回数または送出量に応じて課金額を演算する構成であるから、利用状況を反映させた課金額を決定することができ、合理的な課金ができる。
【図面の簡単な説明】
【図１】本発明に係る模擬移動処理システムの概要と、受理側装置および通信機構の相互関係の一例を示す説明図である。
【図２】受理側装置の送付する要求信号および模擬移動処理システムの送出する送出信号の一例の説明図である。
【図３】データベース部の一例の概要ブロック構成図である。
【図４】本発明に係る模擬移動処理システムの第１の実施形態を示すブロック構成図である。
【図５】図４の模擬移動処理システムの動作フローチャートである。
【図６】図５に続く動作フローチャートである。
【図７】図４に示された模擬移動処理システムに接続可能な受理側装置の一例のブロック構成図である。
【図８】図７の受理側装置の動作フローチャートである。
【図９】図８に続く動作フローチャートである。
【図１０】本発明に係る模擬移動処理システムの第２の実施形態を示すブロック構成図である。
【図１１】図１０の模擬移動処理システムの動作フローチャートである。
【図１２】図１１に続く動作フローチャートである。
【図１３】本発明に係る模擬移動処理システムの第３の実施形態を示すブロック構成図である。
【図１４】図１３の模擬移動処理システムの動作フローチャートである。
【図１５】図１４に続く動作フローチャートである。
【図１６】図１３に示された模擬移動処理システムに接続可能な受理側装置の一例のブロック構成図である。
【図１７】図１６の受理側装置の動作フローチャートである。
【図１８】本発明に係る模擬移動処理システムの第４の実施形態を示すブロック構成図である。
【図１９】図１８の模擬移動処理システムの動作フローチャートである。
【図２０】図１９に続く動作フローチャートである。
【符号の説明】
ＳＶ‥‥模擬移動処理システム、ＣＬａ、ＣＬｂ‥‥要求信号、ＳＶａ、ＳＶｂ‥‥送出信号、ｓｐｄ‥‥開始位置データ、ｄｓｔｄ‥‥行先データ、ｍｄ‥‥移動速度データ、ｄｄ‥‥視界方向データ、ａｎｇｄ‥‥傾斜視界データ、ｒｄ‥‥経路データ、Ｃｔｓ‥‥コンテンツ情報、ｍａｐ‥‥地図データ、ｒｔ‥‥適合経路データ、１０‥‥制御部、１１‥‥情報受取部、１２‥‥模擬移動処理部、１３‥‥情報編成・送出部、２０‥‥認証・課金部、ＤＢ‥‥データベース部、ＭＰｄ‥‥地図部、ｓｅｔ＿ｍａｐ‥‥地図データの集合、ＣＴｄ‥‥コンテンツ部、ｓｅｔ＿Ｃｔｓ‥‥コンテンツ情報の集合、ＮＴ‥‥通信機構、ＣＬ‥‥受理側装置、１‥‥発生グループ、２‥‥要求データ編成・送付部、３‥‥ｉｄ管理部、４‥‥データ受理・呈示部、Ｐｗ‥‥電源部
【図１】
2004078549.tif 000003
【図２】
2004078549.tif 000004
【図３】
2004078549.tif 000005
【図４】
2004078549.tif 000006
【図５】
2004078549.tif 000007
【図６】
2004078549.tif 000008
【図７】
2004078549.tif 000009
【図８】
2004078549.tif 000010
【図９】
2004078549.tif 000011
【図１０】
2004078549.tif 000012
【図１１】
2004078549.tif 000013
【図１２】
2004078549.tif 000014
【図１３】
2004078549.tif 000015
【図１４】
2004078549.tif 000016
【図１５】
2004078549.tif 000017
【図１６】
2004078549.tif 000018
【図１７】
2004078549.tif 000019
【図１８】
2004078549.tif 000020
【図１９】
2004078549.tif 000021
【図２０】
2004078549.tif 000022